(57)【要約】  サイドリリースバックル(1) に装着した状態で使用されるバックル解除用補助具(10)が提案されている。雌バックル(2) から雄バックル(3) を離脱する際に、雌バックル(2) から露出している1 対の係合爪(7) を押し込む操作が困難である場合があるので、バックル解除用補助具(10)の摘み部(13)を引っ張るという簡単な操作で瞬時に雄バックル(3) を離脱可能にした。バックル解除用補助具(10)は、雌バックル(2) に係合状態の１対の係合爪(7) を解除側へ弾性変形させる為の解除用操作部材(11)を、雌バックル(2) の１対の操作用凹部(5) に部分的に露出した１対の係合爪(7) の側部のうちの最大幅部(7m)よりも小幅の先端側部分(7f)の表面に接触する状態にして雌バックル(2) に外嵌させ、この解除用操作部材(11)に連結された摘み片(13)を雄バックル(4) 側へ手で引っ張ることにより、雌バックル(2) から１対の係合爪(7) 及び雄バックル(3) を離脱させる。
2011052017.tif 000002
【特許請求の範囲】
【請求項１】
雌バックルと、この雌バックルに係脱可能に挿入される１対の係合爪を有する雄バックルと、前記雌バックルに係合状態の１対の係合爪が外部へ部分的に露出するように雌バックルに形成された１対の操作用凹部とを有するサイドリリースバックルに装着されるバックル解除用補助具であって、
前記雌バックルに係合状態の前記１対の係合爪を解除側へ弾性変形させる為の解除用操作部材を、前記１対の係合爪に接触状に前記雌バックルに設け、
前記解除用操作部材に連結された摘み片を設け、
前記摘み片を前記雄バックル側へ手で引っ張ることにより、前記雌バックルから１対の係合爪を離脱可能に構成したことを特徴とするバックル解除用補助具。
【請求項２】
前記解除用操作部材は可撓性を有する紐状部材で構成され、
前記解除用操作部材は、前記雌バックルの１対の操作用凹部に部分的に露出した１対の係合爪の側部のうちの最大幅部よりも小幅の先端側部分の表面に接触する状態にして前記雌バックルに外嵌されたことを特徴とする請求項１に記載のバックル解除用補助具。
【請求項３】
前記解除用操作部材は可撓性を有する紐状部材で構成され、
前記解除用操作部材は、前記雌バックルの１対の操作用凹部に形成された１対の開口穴と、前記１対の係合爪が挿入される挿入穴とに挿通され且つ１対の係合爪の最大幅部よりも小幅の先端側部分と先端部分の表面に接触する状態にして前記雌バックルに装着されたことを特徴とする請求項１に記載のバックル解除用補助具。
【請求項４】
前記解除用操作部材は伸縮性のある合成樹脂又はゴム製のリング部材で構成されたことを特徴とする請求項２に記載のバックル解除用補助具。
【請求項５】
前記解除用操作部材はマジックテープでリング状に構成されたことを特徴とする請求項２に記載のバックル解除用補助具。
【請求項６】
前記解除用操作部材は結束バンドでリング状に構成されたことを特徴とする請求項１又は２に記載のバックル解除用補助具。
【請求項７】
前記解除用操作部材は、その両端から一体的に延びる２本の連結紐により前記摘み片に連結され、前記連結紐のうちの前記解除用操作部材側端部を、前記解除用操作部材が緩まないようにロックするロック部材を設けたことを特徴とする請求項２に記載のバックル解除用補助具。
【請求項８】
前記２本の連結紐の自由端部にマジックテープ小片を設け、前記摘み片を１対のマジックテープ片で構成し、前記マジックテープ小片を１対のマジックテープ片間に固着することにより、前記解除用操作部材を前記摘み片に連結したことを特徴とする請求項７に記載のバックル解除用補助具。
【請求項９】
前記解除用操作部材は、連結紐部材を介して前記摘み片に連結されたことを特徴とする請求項４，５，６の何れか１つに記載のバックル解除用補助具。
【請求項１０】
前記解除用操作部材のうち、前記雌バックルの背面に接触する部位に、雌バックルの背面に沿う形状に形成された硬質部を設けたことを特徴とする請求項２に記載のバックル解除用補助具。
【発明の詳細な説明】
【技術分野】
【０００１】
本発明は、雌バックルと雄バックルとを有するサイドリリースバックルの解除を簡単、迅速に行なえるようにしたバックル解除用補助具に関するものである。
【背景技術】
【０００２】
特許文献１，２に示すように、サイドリリースバックルは、雌バックルと、この雌バックルに係脱可能に挿入される１対の係合爪を有する雄バックルと、係合状態の１対の係合爪が外部へ部分的に露出するように雌バックルに形成された１対の操作用凹部とを有するものである。サイドリリースバックルは、アウトドア用衣類、防寒具、防弾チョッキ、リュックサック、種々の収納バッグ、ペットの首輪などにおける、第１の部材と第２の部材を連結するのに使用されている。【０００３】
雌バックルは第１の部材に固着されたベルト部材の端部に取り付けられ、雄バックルは第２の部材に固着されたベルト部材に取り付けられ、雌バックルに雄バックルの１対の係合爪を係脱可能に係合させることにより、第１，第２の部材が連結される。尚、雌バックル及び／又は雄バックルにはベルト部材を長さ調節可能に連結するための調節式連結部を一体的に形成することもある。【０００４】
前記サイドリリースバックルの雌バックルに雄バックルの１対の係合爪を係合させた状態においては、１対の係合爪が雌バックルの１対の操作用凹部から外部へ部分的に露出する。雌バックルから雄バックルを分離する際には、手の２本の指でもって１対の係合爪を操作用凹部へ押し込むことにより、１対の係合爪を雌バックルから離脱させる。
【先行技術文献】
【特許文献】
【０００５】
【特許文献１】特開平１１−３４２００８号公報
【特許文献１】特開２００６−２６２０７号公報
【発明の開示】
【発明が解決しようとする課題】
【０００６】
前記雌バックルから雄バックルを分離するには、１対の係合爪を２本の指で摘んで押し込まなければならない。しかし、厚手の手袋を着用している場合や指の爪にネイルアートを施している場合には、操作性が悪化するため１対の係合爪を確実に迅速に押し込むことができず、時間と労力がかかる。【０００７】
また、サイドリリースバックルが身体の側部側や背部側に位置している場合には、１対の係合爪を２本の指で摘むことが困難で、雌バックルから雄バックルを分離することができない。また、特に小形のサイドリリースバックルの場合にも、１対の係合爪を２本の指で摘むことが困難で、雌バックルから雄バックルを分離するのに時間がかかる。【０００８】
本発明の目的は、雌バックルから雄バックルを簡単に迅速に分離することができるバックル解除用補助具を提供することである。
【課題を解決するための手段】
【０００９】
請求項１のバックル解除用補助具は、雌バックルと、この雌バックルに係脱可能に挿入される１対の係合爪を有する雄バックルと、雌バックルに係合状態の１対の係合爪が外部へ部分的に露出するように雌バックルに形成された１対の操作用凹部とを有するサイドリリースバックルに装着されるバックル解除用補助具であって、前記雌バックルに係合状態の前記１対の係合爪を解除側へ弾性変形させる為の解除用操作部材を、前記１対の係合爪に接触状に前記雌バックルに設け、前記解除用操作部材に連結された摘み片を設け、前記摘み片を前記雄バックル側へ手で引っ張ることにより、前記雌バックルから１対の係合爪を離脱可能に構成したことを特徴としている。【００１０】
前記の構成に加えて、次のような種々の構成を採用してもよい。
（１）前記解除用操作部材は可撓性を有する紐状部材で構成し、前記解除用操作部材は、前記雌バックルの１対の操作用凹部に部分的に露出した１対の係合爪の側部のうちの最大幅部よりも小幅の先端側部分の表面に接触する状態にして前記雌バックルに外嵌する。
上記の構成において、前記解除用操作部材は伸縮性のある合成樹脂又はゴム製のリング部材で構成してもよく、前記解除用操作部材はマジックテープ（「マジックテープ」は登録商標である。以下同じ。）でリング状に構成してもよく、前記解除用操作部材は結束バンドでリング状に構成してもよい。これらの構成において、前記解除用操作部材を連結紐部材を介して前記摘み片に連結してもよい。【００１１】
（２）前記（１）の構成において、前記解除用操作部材は、その両端から一体的に延びる２本の連結紐により前記摘み片に連結し、前記連結紐のうちの前記解除用操作部材側端部を、前記解除用操作部材が緩まないようにロックするロック部材を設ける。
この構成において、前記２本の連結紐の自由端部にマジックテープ小片を設け、前記摘み片を１対のマジックテープ片で構成し、前記マジックテープ小片を１対のマジックテープ片間に固着することにより、前記解除用操作部材を前記摘み片に連結してもよい。
された。【００１２】
（３）前記（１）の構成において、前記解除用操作部材のうち、前記雌バックルの背面に接触する部位に、雌バックルの背面に沿う形状に形成された硬質部を設けてもよい。
（４）前記解除用操作部材を可撓性を有する紐状部材で構成し、前記解除用操作部材は、前記雌バックルの１対の操作用凹部に形成された１対の開口穴と、前記１対の係合爪が挿入される挿入穴とに挿通され且つ１対の係合爪の最大幅部よりも小幅の先端側部分と先端部分の表面に接触する状態にして前記雌バックルに装着する。
【発明の効果】
【００１３】
本発明のバックル解除用補助具によれば、前記摘み片を雄バックル側へ手で引っ張ると、１対の係合爪に接触している解除用操作部材により、１対の係合爪の雌バックルへの係合が解除されて、雌バックルから１対の係合爪を離脱させることができる。厚手の手袋を装着している場合でも、指先の爪にネイルアートを施している場合でも、前記摘み片を摘んで簡単かつ迅速に瞬時に１対の係合爪を離脱させることができる。【００１４】
そして、サイドリリースバックルが身体の側部側や背部側に位置している場合にも、前記摘み片を摘んで簡単かつ迅速に１対の係合爪を離脱させることができる。また、特に小形のサイドリリースバックルの場合にも、前記摘み片を摘んで簡単かつ迅速に１対の係合爪を離脱させることができる。
【図面の簡単な説明】
【００１５】
【図１】本発明の実施例の防弾チョッキとその複数のサイドリリースバックルと複数のサイドリリースバックルに適用した複数のバックル解除用補助具の正面図である。
【図２】サイドリリースバックルの分解斜視図である。
【図３】雌雄のバックルを係合態にしたサイドリリースバックルの斜視図である。
【図４】バックル解除用補助具の斜視図である。
【図５】バックル解除用補助具をサイドリリースバックルに装着した状態を示す斜視図である。
【図６】バックル解除用補助具をサイドリリースバックルに装着した状態を示す正面図である。
【図７】実施例２のバックル解除用補助具の斜視図である。
【図８】実施例２の図５相当図である。
【図９】実施例３のバックル解除用補助具の斜視図である。
【図１０】実施例３の図５相当図である。
【図１１】実施例４のバックル解除用補助具の斜視図である。
【図１２】実施例４の図５相当図である。
【図１３】実施例５のバックル解除用補助具の斜視図である。
【図１４】実施例５の図５相当図である。
【図１５】実施例６のバックル解除用補助具の斜視図である。
【図１６】実施例６の図５相当図である。
【図１７】実施例７のバックル解除用補助具の斜視図である。
【図１８】実施例７の図５相当図である。
【図１９】実施例８のバックル解除用補助具の斜視図である。
【図２０】実施例９のバックル解除用補助具の斜視図である。
【図２１】実施例１０のバックル解除用補助具をサイドリリースバックルに装着した状態を示す斜視図である。
【発明を実施するための形態】
【００１６】
以下、本発明を実施するための形態について実施例に基づいて説明する。
【実施例１】
【００１７】
本実施例は、防弾チョッキＶＥに装備したサイドリリースバックル１に本発明を適用した場合の一例を示すものである。図１に示す防弾チョッキＶＥにおいて、左右の肩部にはサイドリリースバックル１により解除可能に連結する左右１対の連結部が設けられ、また、胴部の下端部にはサイドリリースバックル１により解除可能に連結する左右１対の連結部が設けられ、これら４つのサイドリリースバックル１には本発明のバックル解除用補助具１０が装着されている。【００１８】
最初に、上記のサイドリリースバックル１について説明する。
図２、図３に示すように、サイドリリースバックル１は、合成樹脂製の雌バックル２と、合成樹脂製の雄バックル３とを備えている。雌バックル２は、上端部にベルト連結部２ａを有し、このベルト連結部２ａに防弾チョッキＶＥに固着されたベルト４ａが連結されている。雌バックル２の中段部（途中部）には、両側部から中心側へ凹入した１対の操作用凹部５が形成されている。【００１９】
雄バックル３は、１対の係合爪７と、それら係合爪７間の中間に形成されたガイド片８と、防弾チョッキＶＥに固着されたベルト４ｂを長さ調節可能に連結する調節式ベルト連結部９とを有し、ベルト連結部９には防弾チョッキＶＥに固着されたベルト４ｂが長さ調節可能に連結されている。【００２０】
雌バックル２には、雄バックル３側端部から雄バックル３の１対の係合爪７を挿入する為の挿入穴６が形成され、この挿入穴６は開口部５ａを介して１対の操作用凹部５に開口しており、雄バックル３の１対の係合爪７を挿入穴６に挿入した状態では、図３に示すように、１対の係合爪７の側部が開口部５ａから外部に部分的に露出している。【００２１】
雄バックル３の係合爪７は、弾性変形可能な細いロッド部７ａと、このロッド部７ａの先端に厚く一体形成された爪部７ｂを有し、爪部７ｂのロッド部７ａ側端部に段部７ｃが形成されている。爪部７ｂの側部には、幅方向の外側へ凸に膨らんだ最大幅部７ｍと、この最大幅部７ｍより小幅の先端側部分７ｆとが形成されている。  
１対の係合爪７が挿入穴６に挿入されると、１対の段部７ｃが雌バックル２の１対の操作用凹部５の縁部にある係止部５ｂで係止され、抜け止めされた係合状態になる（図３参照）。この係合状態において、１対の係合爪７の最大幅部７ｍと先端側部分７ｆとが１対の操作用凹部５から部分的に露出した状態になる。１対の爪部７ｂの幅は最大幅部７ｍから先端側部分７ｆにかけて徐々に減少し、また、先端側部分７ｆから先端部分７ｅにかけて徐々に減少する。【００２２】
雌バックル２から雄バックル３を離脱させる際には、図３に示す状態において、１対の操作用凹部５から露出している１対の係合爪７の側部の最大幅部７ｍを外部から２本の指で挟んで雌バックル２内へ僅かに押し込むと、１対の段部７ｃが係止部から外れるため、１対の係合爪７を雌バックル２から離脱させることできる。【００２３】
図４〜図６に示すように、バックル解除用補助具１０は、雌バックル２に係合状態の１対の係合爪７を解除側へ弾性変形させる為の解除用操作部材１１と、その両端から一体的に延びる２本の連結紐１２と、この連結紐１２の先端部分に連結された摘み片１３と、連結紐１２のうちの解除用操作部材１１側の端部を解除用操作部材１１が緩まないようにロックするロック部材１４とを有する。【００２４】
前記解除用操作部材１１は、可撓性を有するベルト状の紐状部材で構成され、この紐状部材は合成樹脂繊維からなる偏平チューブ状の２重の織布で構成されている。前記解除用操作部材１１のうち、図５に示すように、雌バックル２に外嵌状に装着した状態において、雌バックル２の背面に接触する部位に、雌バックル２の背面に沿う形状に形成された硬質部１１ａが設けられている。この硬質部１１ａは偏平チューブ内に金属製又は合成樹脂製の小片を挿入して小片の両端部の偏平チューブに縫目を形成することで一定位置に保持されている。この硬質部１１ａを設けるのは、雌バックル２に外嵌状に装着した状態において解除用操作部材１１が雌バックル２に対して回転するのを防止し、ロック部材１４と摘み片１３を前面側（表面側）の所定位置に位置させておくためである。【００２５】
前記ロック部材１４は、合成樹脂製の外筒１４ａと、この外筒１４ａに位置可変に装着された可動片１４ｂと、外筒１４ａの内部に装着されて可動片１４ｂを突出側へ付勢する圧縮バネ（図示略）とで構成されている。外筒１４ａに形成した貫通穴１４ｃと、可動片１４ｂに形成した貫通穴１４ｄとに連結紐１２を挿通させて外筒１４ａと可動片１４ｂとで連結紐１１をロック可能に構成されている。可動片１４ｂを押し込むことでロック解除可能である。尚、上記のロック部材１４は一例を示すものであり、種々のロック部材を採用可能である。【００２６】
前記摘み片１３は、合成樹脂繊維の織布からなる２枚のベルト片の間に、連結紐１２の先端部分を挟みこんで縫い合せた構成のものである。但し、摘み片１３の構成は上記に限定されるものではなく、指で簡単に摘むことができるものであればよく、材質や形状や大きさは自由に設定することができる。【００２７】
バックル解除用補助具１０を図２に示す状態の雌バックル２に装着する際には、解除用操作部材１１を緩めた状態にして雌バックル２に外嵌する。次に、雌バックル２に雄バックル３の１対の係合爪７を挿入して係合させた状態において、解除用操作部材１１を、雌バックル２の１対の操作用凹部５に部分的に露出した１対の係合爪７の側部（特に、最大幅部７ｍよりも小幅の先端側の先端側部分７ｆ）に外嵌して接触状態にする。そして、１対の係合爪７に押圧力を付加しない限度内で、解除用操作部材１１を引き締めた状態にしてロック部材１４をロック状態にすると、図５、図６の使用状態になる。【００２８】
尚、雌バックル２に雄バックル３の１対の係合爪７を挿入しない状態において、解除用操作部材１１を引き締めた状態にしてからロック部材１４をロック状態にし、その状態において、雄バックル３の１対の係合爪７を雌バックル２に挿入した場合も、図５、図６の使用状態になる。【００２９】
その使用状態において、サイドリリースバックル１の雌バックル２から雄バックル３を分離する際には、摘み片１３を雄バックル３側へ手で引っ張ることにより、解除用操作部材１１で１対の係合爪７の最大幅部７ｍを係合解除側へ押し込み、雌バックル２から１対の係合爪７を離脱せることができる。その後、再び雄バックル３を雌バックル２に係合させると、図５、図６の使用状態になる。尚、本発明に係るバックル解除用補助具１０は、種々のサイズのものに構成することにより、種々のサイズのサイドリリースバックル１に適用することができることは勿論である。【００３０】
以上説明したバックル解除用補助具１０の作用、効果について説明する。
上記のように、図５、図６に示すようにサイドリリースバックル１に装着して使用している使用状態において、雌バックル２から雄バックル３を分離する際には、摘み片１３を雄バックル３側へ手で引っ張ることにより、解除用操作部材１１を係合爪７の最大幅部７ｍの方へ移動させることにより、１対の係合爪７を係合解除側へ押し込み、雌バックル２から１対の係合爪７（つまり、雄バックル３）を簡単に迅速に瞬時に離脱させることができる。そして、その分離した雄バックル３を雌バックル２に係合させると、図５、図６の使用状態になるため、バックル解除用補助具１０を１度雌バックル２にセットすれば、繰り返し使用することができる。【００３１】
解除用操作部材１１に硬質部１１ａを形成してあるため、使用中に解除用操作部材１１が雌バックル２に対して相対的に回転するのを確実に防止できるから、ロック部材１４と摘み片１３とを常時前面側（正面側）に位置させ、係合解除の際に解除用操作部材１１により１対の係合爪７を確実に係合解除させることができる。【００３２】
厚手の手袋を装着している場合でも、指の爪にネイルアートを施している場合でも、摘み片１３を摘んで簡単かつ迅速に瞬時に１対の係合爪７を離脱させることができる。サイドリリースバックル１が身体の側部側や背部側に位置している場合にも、摘み片１３を摘んで簡単かつ迅速に１対の係合爪７を離脱させることができる。また、特に小形のサイドリリースバックル１の場合にも、摘み片１３を摘んで簡単かつ迅速に１対の係合爪７を離脱させることができる。【００３３】
特に、図１に示す防弾チョッキＶＥを着用している着用者が負傷したような場合に、１秒を争って緊急に防弾チョッキＶＥを脱がせる場合に、バックル解除用補助具１０により雌バックル２と雄バックル３の係合を瞬時に分離することができる。バックル解除用補助具１０を危険作業や戦争に従事する人が着用する衣類や装備品に適用した場合も同様である。
【実施例２】
【００３４】
実施例２に係るバックル解除用補助具１０Ａについて、図７、図８に基づいて説明する。但し、実施例１の構成要素と同じ構成要素に同一符号を付して説明を省略する。
このバックル解除用補助具１０Ａにおいては、連結紐１２をロックする為のロック部材として、金属製又は合成樹脂製のソリッド形ロック部材１４Ａが採用されている。【００３５】
ソリッド形ロック部材１４Ａは、断面メガネ形の本体部材に２つの貫通孔１４ｈを形成し、それらの貫通孔１４ｈに２本の連結紐１２を夫々挿通させ、２本のビス１５を螺合してソリッド形ロック部材１４Ａに連結紐１２を固定している。図８に示すように、解除用操作部材１１をサイドリリースバックル１に装着し、ロック部材１４Ａにより連結紐１２を適度に締めてから２本のビス１５を螺合するものとする。ソリッド形ロック部材１４Ａが簡単で小形の構成であるため、コンパクトで、製作費も安価になる。ソリッド形ロック部材１４Ａの本体部材の形状は図示のものに限定されず、直方体形、円柱形、長円柱形など種々の形状に形成することができる。
【実施例３】
【００３６】
実施例３に係るバックル解除用補助具１０Ｂについて、図９、図１０に基づいて説明する。但し、実施例１の構成要素と同じ要素に同一符号を付して説明を省略する。
このバックル解除用補助具１０Ｂの解除用操作部材１１Ｂは可撓性と伸縮性のある合成樹脂又はゴム製のリング部材で構成され、この解除用操作部材１１Ｂは、連結紐部材１２Ｂを介して摘み片１３に連結されている。本実施例では、合成ゴム製のＯリングを解除用操作部材１１Ｂとして採用した。尚、連結紐部材１２Ｂは前記連結紐１２と同様のものである。【００３７】
解除用操作部材１１Ｂは、１対の係合爪７を押し込むことができる適度の太さの適度の弾性を有するＯリングで構成され、図１０に示す状態に装着した状態では、弾性的に適度に伸長した状態になっている。この解除用操作部材１１Ｂは、サイドリリースバックル１のサイズに適した種々のサイズのＯリングを用いて構成することができるため、簡単に安価に製作することができる。しかも、この解除用操作部材１１Ｂは、伸長させた状態にして雌バックル２に装着することができ、その僅かに収縮させた状態に保持して使用できるため、前記ロック部材を省略可能できるうえ、市販の安価なＯリングを適用するため有利である。尚、Ｏリングの材質は、合成樹脂、合成ゴム、天然ゴムの中から選択可能であるが、シリコーンゴムや４フッ化エチレン系合成樹脂等が望ましい。
【実施例４】
【００３８】
実施例４に係るバックル解除用補助具１０Ｃについて、図１１、図１２に基づいて説明する。但し、実施例１の構成要素と同じ構成要素に同一符号を付して説明を省略する。
バックル解除用補助具１０Ｃは、解除用操作部材１１Ｃと、連結紐１２Ｃと、ロック部材１４と、摘み片１３とを有する。解除用操作部材１１Ｃは、ロック部材１４を挿通した１本の連結紐１２Ｃをループ状にし、その連結紐１２Ｃの先端部を小ループ１１ｃを介して連結紐１２Ｃの途中部に連結した。
【実施例５】
【００３９】
実施例５に係るバックル解除用補助具１０Ｄについて、図１３、図１４に基づいて説明する。但し、実施例１の構成要素と同じ構成要素に同一符号を付して説明を省略する。
バックル解除用補助具１０Ｄは、解除用操作部材１１Ｄと、連結紐部材１２Ｄと、摘み片１３とを有する。解除用操作部材１１Ｄは、狭幅のマジックテープの一端部分の外面に、マジックテープの他端部分の内面を貼り付けることにより、リング状に構成してある。  この解除用操作部材１１Ｄの場合、雌バックル２に解除用操作部材１１Ｄを外嵌させ、締めつけ状態を調整してから貼り付けてリング状にするため、ロック部材を省略できる。
【実施例６】
【００４０】
実施例６に係るバックル解除用補助具１０Ｅについて、図１５、図１６に基づいて説明する。但し、実施例１の構成要素と同じ構成要素に同一符号を付して説明を省略する。
バックル解除用補助具１０Ｅは、解除用操作部材１１と、連結紐１２と、ロック部材１４と、摘み片１３Ｅとを有する。摘み片１３Ｅは、２本の連結紐１２の自由端部に設けたマジックテープ小片１３ａと、１対のマジックテープ片１３ｂ，１３ｃとで構成されている。【００４１】
解除用操作部材１１を雌バックル２に外嵌し、ロック部材１４を介して締めつけ状態を調節してから、連結紐１２とロック部材１４が緩まないように、マジックテープ片１３ｂをロック部材１４に当接させた状態にしてマジックテープ小片１３ａをマジックテープ片１３ｂに貼り付け、最後にマジックテープ小片１３ａを挟んだ状態にして下側のマジックテープ片１３ｂに上側のマジックテープ片１３ｃを貼り付ける。こうして、解除用操作部材１１が摘み片１３Ｅに連結されている。
【実施例７】
【００４２】
実施例７に係るバックル解除用補助具１０Ｆについて、図１７、図１８に基づいて説明する。但し、実施例１の構成要素と同じ構成要素に同一符号を付して説明を省略する。
バックル解除用補助具１０Ｆは、解除用操作部材１１Ｆと、連結紐部材１２Ｆと、この連結紐部材１２Ｆを介して解除用操作部材１１Ｆに連結された摘み片１３とを有する。解除用操作部材１１Ｆは、合成樹脂製の結束バンドで構成されている。結束バンドは内面側に多数のギザギザの係合歯を有し、一端部に逆止爪を有するロック部が形成されている。【００４３】
図１８に示すように、解除用操作部材１１Ｆを雌バックル２と１対の係合爪７に外嵌状にセットしてから、結束バンドを適度に引き締めることで図１８に示す使用状態にする。その使用状態にしてから結束バンドの自由端側の余剰部分を切断して除去する。
このバックル解除用補助具１０Ｆは結束バンドのロック機能を活用するため、ロック部材を省略可能であるうえ、市販の安価な結束バンドを使用できるため有利である。
【実施例８】
【００４４】
実施例８に係るバックル解除用補助具１０Ｇについて、図１９に基づいて説明する。但し、実施例１の構成要素と同じ構成要素に同一符号を付して説明を省略する。
バックル解除用補助具１０Ｇは、解除用操作部材１１Ｇと、連結紐１２と、摘み片１３とを有する。解除用操作部材１１Ｇは、合成樹脂又は金属製のＣ形リング部材で構成されている。この解除用操作部材１１Ｇの内面間間隔Ｄは、１対の係合爪７の最大幅部の幅よりも小さく設定され、開口部１１ｇの幅ｄは、雌バックル２の厚さよりも大きく形成されている。図示の幅Ｂは、雌バックル２の１対の操作用凹部５の部位における雌バックル２の最少幅よりも大きく設定してある。【００４５】
そのため、解除用操作部材１１Ｇを雌バックル２と１対の係合爪７に外嵌状に装着することができる。雌バックル２に装着した使用状態においては、１対の操作ロッド部１１ｂが雌バックル２に係合状態の１対の係合爪の最大幅部７ｍよりも小幅の先端側部分７ｆに接触する状態になっている。
【実施例９】
【００４６】
実施例９に係るバックル解除用補助具１０Ｈについて、図２０に基づいて説明する。但し、実施例１の構成要素と同じ構成要素に同一符号を付して説明を省略する。
バックル解除用補助具１０Ｈは、解除用操作部材１１Ｈと、連結紐１２と、摘み片１３とを有する。解除用操作部材１１Ｈは金属又は合成樹脂製のシャクルで構成されている。雌バックル２に装着した使用状態においては、１対の操作ロッド部１１ｄが雌バックル２に係合状態の１対の係合爪７の最大幅部７ｍよりも小幅の先端側部分７ｆに接触する状態になっている。
【実施例１０】
【００４７】
実施例１０に係るバックル解除用補助具１０Ｋについて、図２１に基づいて説明する。但し、実施例１の構成要素と同じ構成要素に同一符号を付して説明を省略する。
バックル解除用補助具１０Ｋは、解除用操作部材１１Ｋと、連結紐１２と、摘み片１３とを有する。解除用操作部材１１Ｋは、実施例７の結束バンドと同程度の可撓性を有する合成樹脂製の紐状部材で構成されている。例えば、本実施例の解除用操作部材１１Ｋは実施例７の結束バンドと同様の結束バンドで構成されている。【００４８】
この解除用操作部材１１Ｋは、雌バックル２の１対の操作用凹部５に形成された１対の開口穴５ａと、１対の係合爪７が挿入される挿入穴６とに挿通され且つ１対の係合爪７の最大幅部７ｍよりも小幅の先端側部分７ｆと先端部分７ｅ（図２参照）の表面に接触する状態にして雌バックル２に装着されている。この解除用操作部材１１Ｋは、雌バックル２の外部においては緩んでいてもよいため、ロック部材が不要である。【００４９】
雄バックル３を雌バックル２から分離するとき、連結紐１２に連結された摘み片１３を雄バックル３側へ手で引っ張ると、解除用操作部材１１Ｋが、１対の係合爪７の最大幅部７ｍよりも小幅の先端側部分７ｆと先端部分７ｅを幅縮小側へ押すため、１対の係合爪７が係合解除されて雌バックル２から離脱する。【００５０】
本発明の趣旨を逸脱しない範囲において前記実施例１〜１０に種々の変更を付加した形態で実施可能であり、本発明はそれらの変更形態を包含するものである。
例えば、サイドリリースバックルの１対の係合爪の側部に最大幅部がないようなストレートな外形に形成されている場合にも、例えば、実施例１０に係るバックル解除用補助具１０Ｋを適用することができる。
【産業上の利用可能性】
【００５１】
本発明のバックル解除用補助具は、サイドリリースバックルに装着した状態で使用中に、摘み部を引っ張るだけの簡単な操作により雌バックルから雄バックルを簡単に迅速に分離できるため、サイドリリースバックルが適用される種々の物品に適用できる。
【符号の説明】
【００５２】
１      サイドリリースバックル
２      雌バックル
３      雄バックル
５      操作用凹部
６      挿入穴
７      係合爪
７ｍ    最大幅部
７ｆ    先端側部分
７ｅ    先端部分
１０，１０Ａ〜１０Ｈ，１０Ｋ    バックル解除用補助具
１１，１１Ａ〜１１Ｄ，１１Ｆ，１１Ｇ，１１Ｋ      解除用操作部
１２，１２Ｃ        連結紐
１２Ｂ，１２Ｄ，１２Ｆ      連結紐部材
１３，１３Ｅ        摘み部
１４，１４Ａ        ロック部材
【図１】
2011052017.tif 000003
【図２】
2011052017.tif 000004
【図３】
2011052017.tif 000005
【図４】
2011052017.tif 000006
【図５】
2011052017.tif 000007
【図６】
2011052017.tif 000008
【図７】
2011052017.tif 000009
【図８】
2011052017.tif 000010
【図９】
2011052017.tif 000011
【図１０】
2011052017.tif 000012
【図１１】
2011052017.tif 000013
【図１２】
2011052017.tif 000014
【図１３】
2011052017.tif 000015
【図１４】
2011052017.tif 000016
【図１５】
2011052017.tif 000017
【図１６】
2011052017.tif 000018
【図１７】
2011052017.tif 000019
【図１８】
2011052017.tif 000020
【図１９】
2011052017.tif 000021
【図２０】
2011052017.tif 000022
【図２１】
2011052017.tif 000023
【手続補正書】
【提出日】平成22年3月23日(2010.3.23)
【手続補正１】
【補正対象書類名】明細書
【補正対象項目名】全文
【補正方法】変更
【補正の内容】
【発明の詳細な説明】
【技術分野】
【０００１】
本発明は、雌バックルと雄バックルとを有するサイドリリースバックルの解除を簡単、迅速に行なえるようにしたバックル解除用補助具に関するものである。
【背景技術】
【０００２】
特許文献１，２に示すように、サイドリリースバックルは、雌バックルと、この雌バックルに係脱可能に挿入される１対の係合爪を有する雄バックルと、係合状態の１対の係合爪が外部へ部分的に露出するように雌バックルに形成された１対の操作用凹部とを有するものである。サイドリリースバックルは、アウトドア用衣類、防寒具、防弾チョッキ、リュックサック、種々の収納バッグ、ペットの首輪などにおける、第１の部材と第２の部材を連結するのに使用されている。
【０００３】
雌バックルは第１の部材に固着されたベルト部材の端部に取り付けられ、雄バックルは第２の部材に固着されたベルト部材に取り付けられ、雌バックルに雄バックルの１対の係合爪を係脱可能に係合させることにより、第１，第２の部材が連結される。尚、雌バックル及び／又は雄バックルにはベルト部材を長さ調節可能に連結するための調節式連結部を一体的に形成することもある。
【０００４】
前記サイドリリースバックルの雌バックルに雄バックルの１対の係合爪を係合させた状態においては、１対の係合爪が雌バックルの１対の操作用凹部から外部へ部分的に露出する。雌バックルから雄バックルを分離する際には、手の２本の指でもって１対の係合爪を操作用凹部へ押し込むことにより、１対の係合爪を雌バックルから離脱させる。
【先行技術文献】
【特許文献】
【０００５】
【特許文献１】特開平１１−３４２００８号公報
【特許文献１】特開２００６−２６２０７号公報
【発明の概要】
【発明が解決しようとする課題】
【０００６】
前記雌バックルから雄バックルを分離するには、１対の係合爪を２本の指で摘んで押し込まなければならない。しかし、厚手の手袋を着用している場合や指の爪にネイルアートを施している場合には、操作性が悪化するため１対の係合爪を確実に迅速に押し込むことができず、時間と労力がかかる。
【０００７】
また、サイドリリースバックルが身体の側部側や背部側に位置している場合には、１対の係合爪を２本の指で摘むことが困難で、雌バックルから雄バックルを分離することができない。また、特に小形のサイドリリースバックルの場合にも、１対の係合爪を２本の指で摘むことが困難で、雌バックルから雄バックルを分離するのに時間がかかる。
【０００８】
本発明の目的は、雌バックルから雄バックルを簡単に迅速に分離することができるバックル解除用補助具を提供することである。
【課題を解決するための手段】
【０００９】
請求項１のバックル解除用補助具は、雌バックルと、この雌バックルに係脱可能に挿入される１対の係合爪を有する雄バックルと、雌バックルに係合状態の１対の係合爪が外部へ部分的に露出するように雌バックルに形成された１対の操作用凹部とを有するサイドリリースバックルに装着されるバックル解除用補助具であって、前記雌バックルに係合状態の前記１対の係合爪を解除側へ弾性変形させる為の解除用操作部材であって可撓性のある紐状部材でループ状に構成した解除用操作部材と、前記解除用操作部材に連結された摘み片とを有し、前記解除用操作部材は、前記雌バックルの１対の操作用凹部に部分的に露出した１対の係合爪の側部のうちの最大幅部よりも小幅の先端側部分に対応する位置において、前記雌バックル及び１対の係合爪に外嵌状に装着されるループ状部分と、前記ループ状部分が１対の係合爪の前記先端側部分の表面に、押圧力を付加しない限度内で引き締め状に接触するように前記ループ状部分のループ長を設定する設定手段とを備え、前記摘み片を前記雄バックル側へ手で引っ張ることにより、前記解除用操作部材のループ状部分で１対の係合爪の最大幅部を係合解除側へ押圧し、前記雌バックルから１対の係合爪を離脱可能に構成したことを特徴としている。
請求項２のバックル解除用補助具は、雌バックルと、この雌バックルに係脱可能に挿入される１対の係合爪を有する雄バックルと、前記雌バックルに係合状態の１対の係合爪が外部へ部分的に露出するように雌バックルに形成された１対の操作用凹部とを有するサイドリリースバックルに装着されるバックル解除用補助具であって、前記雌バックルに係合状態の前記１対の係合爪を解除側へ弾性変形させる為の解除用操作部材であって可撓性と伸縮性のある材料で構成された解除用操作部材と、前記解除用操作部材に連結された摘み片とを有し、前記解除用操作部材は、前記雌バックルの１対の操作用凹部に部分的に露出した１対の係合爪の側部のうちの最大幅部よりも小幅の先端側部分に対応する位置において前記雌バックル及び１対の係合爪に外嵌状に装着されるリング部であって、１対の係合爪の前記先端側部分の表面に押圧力を付加しない限度内で引き締め状に接触するようにリングの周長が設定されたリング部を備え、前記摘み片を前記雄バックル側へ手で引っ張ることにより、前記解除用操作部材のリング部で１対の係合爪の最大幅部を係合解除側へ押圧し、前記雌バックルから１対の係合爪を離脱可能に構成したことを特徴としている。
請求項９のバックル解除用補助具は、雌バックルと、この雌バックルに係脱可能に挿入される１対の係合爪を有する雄バックルと、前記雌バックルに係合状態の１対の係合爪が外部へ部分的に露出するように雌バックルに形成された１対の操作用凹部とを有するサイドリリースバックルに装着されるバックル解除用補助具であって、前記雌バックルに係合状態の前記１対の係合爪を解除側へ弾性変形させる為の金属製又は合成樹脂製の解除用操作部材と、この解除用操作部材に連結された摘み片とを有し、前記解除用操作部材は、１対の操作ロッド部と開口部を有するＤ形枠部材を備え、前記開口部の幅が雌バックルの厚さよりも大きく設定され且つ１対の操作ロッド部の内面間間隔が１対の係合爪の最大幅よりも小さく設定され、前記解除用操作部材は、前記雌バックルの１対の操作用凹部に対応する部位において前記開口部を介して前記雌バックル及び１対の係合爪に外嵌可能に構成され、前記解除用操作部材を、雌バックルの１対の操作用凹部に部分的に露出した１対の係合爪の側部のうちの最大幅部よりも小幅の先端側部分の表面に前記１対の操作ロッド部が接触するように、前記雌バックル及び１対の係合爪に外嵌状に装着した状態において、前記摘み片を前記雄バックル側へ手で引っ張ることにより、前記解除用操作部材の１対の操作ロッド部で１対の係合爪の最大幅部を係合解除側へ押圧し、前記雌バックルから１対の係合爪を離脱可能に構成したことを特徴としている。
請求項１０のバックル解除用補助具は、雌バックルと、この雌バックルに係脱可能に挿入される１対の係合爪を有する雄バックルと、前記雌バックルに係合状態の１対の係合爪が外部へ部分的に露出するように雌バックルに形成された１対の操作用凹部とを有するサイドリリースバックルに装着されるバックル解除用補助具であって、前記雌バックルに係合状態の前記１対の係合爪を解除側へ弾性変形させる為の金属製又は合成樹脂製の解除用操作部材と、この解除用操作部材に連結された摘み片とを有し、前記解除用操作部材は、１対の操作ロッド部と、これら操作ロッド部の端部同士間の開口部を開閉可能な着脱ロッドとを有する矩形状の矩形枠部材を備え、前記開口部の幅が雌バックルの厚さよりも大きく設定され且つ１対の操作ロッド部の内面間間隔が１対の係合爪の最大幅よりも小さく設定され、前記解除用操作部材は、前記雌バックルの１対の操作用凹部に対応する部位において前記雌バックル及び１対の係合爪に外嵌可能に構成され、前記解除用操作部材を、前記雌バックルの１対の操作用凹部に部分的に露出した１対の係合爪の側部のうちの最大幅部よりも小幅の先端側部分の表面に前記１対の操作ロッド部が接触するように、前記雌バックル及び１対の係合爪に外嵌状に装着した状態において、前記摘み片を前記雄バックル側へ手で引っ張ることにより、前記解除用操作部材の１対の操作ロッド部で１対の係合爪の最大幅部を係合解除側へ押圧し、前記雌バックルから１対の係合爪を離脱可能に構成したことを特徴としている。
請求項１１のバックル解除用補助具は、雌バックルと、この雌バックルに係脱可能に挿入される１対の係合爪を有する雄バックルと、前記雌バックルに係合状態の１対の係合爪が外部へ部分的に露出するように雌バックルに形成された１対の操作用凹部とを有するサイドリリースバックルに装着されるバックル解除用補助具であって、前記雌バックルに係合状態の前記１対の係合爪を解除側へ弾性変形させる為の解除用操作部材であって合成樹脂製の可撓性のある紐状部材でループ状に構成した解除用操作部材と、前記解除用操作部材に連結された摘み片とを有し、前記解除用操作部材は、前記１対の係合爪が挿入された前記雌バックルの挿入穴内において前記１対の係合爪の最大幅部よりも小幅の先端側部分と先端部分の表面に接触し且つ前記１対の操作用凹部に形成された１対の開口穴から外部へ雌バックルの表面側へ延びる状態に装着されるループ状部分を備え、前記摘み片を前記雄バックル側へ手で引っ張ることにより、前記解除用操作部材の前記ループ状部分で１対の係合爪の前記先端側部分を係合解除側へ押圧し、前記雌バックルから１対の係合爪を離脱可能に構成したことを特徴としている。
【００１０】
前記の構成に加えて、次のような種々の構成を採用してもよい。
（１）前記解除用操作部材は面ファスナーでリング状に構成してもよく、前記解除用操作部材は結束バンドでリング状に構成してもよい。これらの構成において、前記解除用操作部材を連結紐部材を介して前記摘み片に連結してもよい。
【００１１】
（２）前記解除用操作部材は、そのループ状部分から一体的に延びる２本の連結紐により前記摘み片に連結し、前記連結紐のうちの前記ループ状部分側端部を、前記ループ状部分が緩まないようにロックするロック部材を設ける。
この構成において、前記２本の連結紐の自由端部に面ファスナー小片を設け、前記摘み片を１対の面ファスナー片で構成し、前記面ファスナー小片を１対の面ファスナー片間に固着することにより、前記解除用操作部材を前記摘み片に連結してもよい。
された。
【００１２】
（３）前記解除用操作部材のうち、前記雌バックルの背面に接触する部位に、雌バックルの背面に沿う形状に形成された硬質部を設けてもよい。
【発明の効果】
【００１３】
本発明のバックル解除用補助具によれば、前記摘み片を雄バックル側へ手で引っ張ると、１対の係合爪に接触している解除用操作部材により、１対の係合爪の雌バックルへの係合が解除されて、雌バックルから１対の係合爪を離脱させることができる。厚手の手袋を装着している場合でも、指先の爪にネイルアートを施している場合でも、前記摘み片を摘んで簡単かつ迅速に瞬時に１対の係合爪を離脱させることができる。
【００１４】
そして、サイドリリースバックルが身体の側部側や背部側に位置している場合にも、前記摘み片を摘んで簡単かつ迅速に１対の係合爪を離脱させることができる。また、特に小形のサイドリリースバックルの場合にも、前記摘み片を摘んで簡単かつ迅速に１対の係合爪を離脱させることができる。
【図面の簡単な説明】
【００１５】
【図１】本発明の実施例の防弾チョッキとその複数のサイドリリースバックルと複数のサイドリリースバックルに適用した複数のバックル解除用補助具の正面図である。
【図２】サイドリリースバックルの分解斜視図である。
【図３】雌雄のバックルを係合態にしたサイドリリースバックルの斜視図である。
【図４】バックル解除用補助具の斜視図である。
【図５】バックル解除用補助具をサイドリリースバックルに装着した状態を示す斜視図である。
【図６】バックル解除用補助具をサイドリリースバックルに装着した状態を示す正面図である。
【図７】実施例２のバックル解除用補助具の斜視図である。
【図８】実施例２の図５相当図である。
【図９】実施例３のバックル解除用補助具の斜視図である。
【図１０】実施例３の図５相当図である。
【図１１】実施例４のバックル解除用補助具の斜視図である。
【図１２】実施例４の図５相当図である。
【図１３】実施例５のバックル解除用補助具の斜視図である。
【図１４】実施例５の図５相当図である。
【図１５】実施例６のバックル解除用補助具の斜視図である。
【図１６】実施例６の図５相当図である。
【図１７】実施例７のバックル解除用補助具の斜視図である。
【図１８】実施例７の図５相当図である。
【図１９】実施例８のバックル解除用補助具の斜視図である。
【図２０】実施例９のバックル解除用補助具の斜視図である。
【図２１】実施例１０のバックル解除用補助具をサイドリリースバックルに装着した状態を示す斜視図である。
【発明を実施するための形態】
【００１６】
以下、本発明を実施するための形態について実施例に基づいて説明する。
【実施例１】
【００１７】
本実施例は、防弾チョッキＶＥに装備したサイドリリースバックル１に本発明を適用した場合の一例を示すものである。図１に示す防弾チョッキＶＥにおいて、左右の肩部にはサイドリリースバックル１により解除可能に連結する左右１対の連結部が設けられ、また、胴部の下端部にはサイドリリースバックル１により解除可能に連結する左右１対の連結部が設けられ、これら４つのサイドリリースバックル１には本発明のバックル解除用補助具１０が装着されている。
【００１８】
最初に、上記のサイドリリースバックル１について説明する。
図２、図３に示すように、サイドリリースバックル１は、合成樹脂製の雌バックル２と、合成樹脂製の雄バックル３とを備えている。雌バックル２は、上端部にベルト連結部２ａを有し、このベルト連結部２ａに防弾チョッキＶＥに固着されたベルト４ａが連結されている。雌バックル２の中段部（途中部）には、両側部から中心側へ凹入した１対の操作用凹部５が形成されている。
【００１９】
雄バックル３は、１対の係合爪７と、それら係合爪７間の中間に形成されたガイド片８と、防弾チョッキＶＥに固着されたベルト４ｂを長さ調節可能に連結する調節式ベルト連結部９とを有し、ベルト連結部９には防弾チョッキＶＥに固着されたベルト４ｂが長さ調節可能に連結されている。
【００２０】
雌バックル２には、雄バックル３側端部から雄バックル３の１対の係合爪７を挿入する為の挿入穴６が形成され、この挿入穴６は開口部５ａを介して１対の操作用凹部５に開口しており、雄バックル３の１対の係合爪７を挿入穴６に挿入した状態では、図３に示すように、１対の係合爪７の側部が開口部５ａから外部に部分的に露出している。
【００２１】
雄バックル３の係合爪７は、弾性変形可能な細いロッド部７ａと、このロッド部７ａの先端に厚く一体形成された爪部７ｂを有し、爪部７ｂのロッド部７ａ側端部に段部７ｃが形成されている。爪部７ｂの側部には、幅方向の外側へ凸に膨らんだ最大幅部７ｍと、この最大幅部７ｍより小幅の先端側部分７ｆとが形成されている。  
１対の係合爪７が挿入穴６に挿入されると、１対の段部７ｃが雌バックル２の１対の操作用凹部５の縁部にある係止部５ｂで係止され、抜け止めされた係合状態になる（図３参照）。この係合状態において、１対の係合爪７の最大幅部７ｍと先端側部分７ｆとが１対の操作用凹部５から部分的に露出した状態になる。１対の爪部７ｂの幅は最大幅部７ｍから先端側部分７ｆにかけて徐々に減少し、また、先端側部分７ｆから先端部分７ｅにかけて徐々に減少する。
【００２２】
雌バックル２から雄バックル３を離脱させる際には、図３に示す状態において、１対の操作用凹部５から露出している１対の係合爪７の側部の最大幅部７ｍを外部から２本の指で挟んで雌バックル２内へ僅かに押し込むと、１対の段部７ｃが係止部から外れるため、１対の係合爪７を雌バックル２から離脱させることできる。
【００２３】
図４〜図６に示すように、バックル解除用補助具１０は、雌バックル２に係合状態の１対の係合爪７を解除側へ弾性変形させる為の解除用操作部材１１と、その両端から一体的に延びる２本の連結紐１２と、この連結紐１２の先端部分に連結された摘み片１３と、連結紐１２のうちの解除用操作部材１１側の端部を解除用操作部材１１が緩まないようにロックするロック部材１４とを有する。
【００２４】
前記解除用操作部材１１は、可撓性を有するベルト状の紐状部材でループ状のループ状部分に構成され、この紐状部材は合成樹脂繊維からなる偏平チューブ状の２重の織布で構成されている。前記解除用操作部材１１のうち、図５に示すように、雌バックル２に外嵌状に装着した状態において、雌バックル２の背面に接触する部位に、雌バックル２の背面に沿う形状に形成された硬質部１１ａが設けられている。この硬質部１１ａは偏平チューブ内に金属製又は合成樹脂製の小片を挿入して小片の両端部の偏平チューブに縫目を形成することで一定位置に保持されている。この硬質部１１ａを設けるのは、雌バックル２に外嵌状に装着した状態において解除用操作部材１１が雌バックル２に対して回転するのを防止し、ロック部材１４と摘み片１３を前面側（表面側）の所定位置に位置させておくためである。
【００２５】
前記ロック部材１４は、合成樹脂製の外筒１４ａと、この外筒１４ａに位置可変に装着された可動片１４ｂと、外筒１４ａの内部に装着されて可動片１４ｂを突出側へ付勢する圧縮バネ（図示略）とで構成されている。外筒１４ａに形成した貫通穴１４ｃと、可動片１４ｂに形成した貫通穴１４ｄとに連結紐１２を挿通させて外筒１４ａと可動片１４ｂとで連結紐１１をロック可能に構成されている。可動片１４ｂを押し込むことでロック解除可能である。尚、上記のロック部材１４は一例を示すものであり、種々のロック部材を採用可能である。
【００２６】
前記摘み片１３は、合成樹脂繊維の織布からなる２枚のベルト片の間に、連結紐１２の先端部分を挟みこんで縫い合せた構成のものである。但し、摘み片１３の構成は上記に限定されるものではなく、指で簡単に摘むことができるものであればよく、材質や形状や大きさは自由に設定することができる。
【００２７】
バックル解除用補助具１０を図２に示す状態の雌バックル２に装着する際には、解除用操作部材１１を緩めた状態にして雌バックル２に外嵌する。次に、雌バックル２に雄バックル３の１対の係合爪７を挿入して係合させた状態において、雌バックル２と１対の係合爪７に外嵌された解除用操作部材１１を、雌バックル２の１対の操作用凹部５に部分的に露出した１対の係合爪７の側部（特に、最大幅部７ｍよりも小幅の先端側の先端側部分７ｆ）の表面に接触状態にする。そして、１対の係合爪７に押圧力を付加しない限度内で、解除用操作部材１１を引き締めた状態にしてロック部材１４をロック状態にすると、図５、図６の使用状態になる。尚、ロック部材１４が、ループ状部分（解除用操作部材１１）のループ長を上記使用状態のときのループ長となるように設定する設定手段に相当する。
【００２８】
尚、雌バックル２に雄バックル３の１対の係合爪７を挿入しない状態において、解除用操作部材１１を引き締めた状態にしてからロック部材１４をロック状態にし、その状態において、雄バックル３の１対の係合爪７を雌バックル２に挿入した場合も、図５、図６の使用状態になる。
【００２９】
その使用状態において、サイドリリースバックル１の雌バックル２から雄バックル３を分離する際には、摘み片１３を雄バックル３側へ手で引っ張ることにより、解除用操作部材１１で１対の係合爪７の最大幅部７ｍを係合解除側へ押し込み、雌バックル２から１対の係合爪７を離脱せることができる。その後、再び雄バックル３を雌バックル２に係合させると、図５、図６の使用状態になる。尚、本発明に係るバックル解除用補助具１０は、種々のサイズのものに構成することにより、種々のサイズのサイドリリースバックル１に適用することができることは勿論である。
【００３０】
以上説明したバックル解除用補助具１０の作用、効果について説明する。
上記のように、図５、図６に示すようにサイドリリースバックル１に装着して使用している使用状態において、雌バックル２から雄バックル３を分離する際には、摘み片１３を雄バックル３側へ手で引っ張ることにより、解除用操作部材１１を係合爪７の最大幅部７ｍの方へ移動させることにより、１対の係合爪７を係合解除側へ押し込み、雌バックル２から１対の係合爪７（つまり、雄バックル３）を簡単に迅速に瞬時に離脱させることができる。そして、その分離した雄バックル３を雌バックル２に係合させると、図５、図６の使用状態になるため、バックル解除用補助具１０を１度雌バックル２にセットすれば、繰り返し使用することができる。
【００３１】
解除用操作部材１１に硬質部１１ａを形成してあるため、使用中に解除用操作部材１１が雌バックル２に対して相対的に回転するのを確実に防止できるから、ロック部材１４と摘み片１３とを常時前面側（正面側）に位置させ、係合解除の際に解除用操作部材１１により１対の係合爪７を確実に係合解除させることができる。
【００３２】
厚手の手袋を装着している場合でも、指の爪にネイルアートを施している場合でも、摘み片１３を摘んで簡単かつ迅速に瞬時に１対の係合爪７を離脱させることができる。サイドリリースバックル１が身体の側部側や背部側に位置している場合にも、摘み片１３を摘んで簡単かつ迅速に１対の係合爪７を離脱させることができる。また、特に小形のサイドリリースバックル１の場合にも、摘み片１３を摘んで簡単かつ迅速に１対の係合爪７を離脱させることができる。
【００３３】
特に、図１に示す防弾チョッキＶＥを着用している着用者が負傷したような場合に、１秒を争って緊急に防弾チョッキＶＥを脱がせる場合に、バックル解除用補助具１０により雌バックル２と雄バックル３の係合を瞬時に分離することができる。バックル解除用補助具１０を危険作業や戦争に従事する人が着用する衣類や装備品に適用した場合も同様である。
【実施例２】
【００３４】
実施例２に係るバックル解除用補助具１０Ａについて、図７、図８に基づいて説明する。但し、実施例１の構成要素と同様の構成要素に同様の符号を付して説明を省略する。このバックル解除用補助具１０Ａにおいては、連結紐１２をロックする為のロック部材として、金属製又は合成樹脂製のソリッド形ロック部材１４Ａが採用されている。
【００３５】
ソリッド形ロック部材１４Ａは、断面メガネ形の本体部材に２つの貫通孔１４ｈを形成し、それらの貫通孔１４ｈに２本の連結紐１２を夫々挿通させ、２本のビス１５を螺合してソリッド形ロック部材１４Ａに連結紐１２を固定している。図８に示すように、解除用操作部材１１をサイドリリースバックル１に装着し、ロック部材１４Ａにより連結紐１２を適度に締めてから２本のビス１５を螺合するものとする。ソリッド形ロック部材１４Ａが簡単で小形の構成であるため、コンパクトで、製作費も安価になる。ソリッド形ロック部材１４Ａの本体部材の形状は図示のものに限定されず、直方体形、円柱形、長円柱形など種々の形状に形成することができる。
【実施例３】
【００３６】
実施例３に係るバックル解除用補助具１０Ｂについて、図９、図１０に基づいて説明する。但し、実施例１の構成要素と同様の構成要素に同様の符号を付して説明を省略する。このバックル解除用補助具１０Ｂの解除用操作部材１１Ｂは可撓性と伸縮性のある合成樹脂又はゴム製のリング部材で構成され、この解除用操作部材１１Ｂは、連結紐部材１２Ｂを介して摘み片１３に連結されている。本実施例では、合成ゴム製のＯリングを解除用操作部材１１Ｂとして採用した。尚、連結紐部材１２Ｂは前記連結紐１２と同様のものである。
【００３７】
解除用操作部材１１Ｂは、１対の係合爪７を押し込むことができる適度の太さの適度の弾性を有するＯリングで構成され、図１０に示す状態に装着した状態では、弾性的に適度に伸長した状態になっている。この解除用操作部材１１Ｂは、サイドリリースバックル１のサイズに適した種々のサイズ（つまり、周長）のＯリングを用いて構成することができるため、簡単に安価に製作することができる。しかも、この解除用操作部材１１Ｂは、伸長させた状態にして雌バックル２に装着することができ、その状態から僅かに収縮させた状態に保持して使用できるため、前記ロック部材を省略可能できるうえ、市販の安価なＯリングを適用するため有利である。尚、Ｏリングの材質は、合成樹脂、合成ゴム、天然ゴムの中から選択可能であるが、シリコーンゴムや４フッ化エチレン系合成樹脂等が望ましい。
【実施例４】
【００３８】
実施例４に係るバックル解除用補助具１０Ｃについて、図１１、図１２に基づいて説明する。但し、実施例１の構成要素と同様の構成要素に同様の符号を付して説明を省略する。バックル解除用補助具１０Ｃは、ループ状のループ状部分である解除用操作部材１１Ｃと、連結紐１２Ｃと、ロック部材１４と、摘み片１３とを有する。解除用操作部材１１Ｃは、ロック部材１４を挿通した１本の連結紐１２Ｃをループ状にし、その連結紐１２Ｃの先端部を小ループ１１ｃを介して連結紐１２Ｃの途中部に連結した。
【実施例５】
【００３９】
実施例５に係るバックル解除用補助具１０Ｄについて、図１３、図１４に基づいて説明する。但し、実施例１の構成要素と同様の構成要素に同様の符号を付して説明を省略する。バックル解除用補助具１０Ｄは、解除用操作部材１１Ｄと、連結紐部材１２Ｄと、摘み片１３とを有する。解除用操作部材１１Ｄは、狭幅の面ファスナーの一端部分の外面に、面ファスナーの他端部分の内面を貼り付けることにより、リング状（ループ状）のループ状部分に構成してある。この解除用操作部材１１Ｄの場合、雌バックル２に解除用操作部材１１Ｄを外嵌させ、締めつけ状態を調整してから貼り付けてリング状にするため、ロック部材を省略できる。つまり、面ファスナーの一端部分と他端部分とがループ長を設定する設定手段に相当する。
【実施例６】
【００４０】
実施例６に係るバックル解除用補助具１０Ｅについて、図１５、図１６に基づいて説明する。但し、実施例１の構成要素と同様の構成要素に同様の符号を付して説明を省略する。バックル解除用補助具１０Ｅは、解除用操作部材１１と、連結紐１２と、ロック部材１４と、摘み片１３Ｅとを有する。摘み片１３Ｅは、２本の連結紐１２の自由端部に設けた面ファスナー小片１３ａと、１対の面ファスナー片１３ｂ，１３ｃとで構成されている。
【００４１】
解除用操作部材１１を雌バックル２に外嵌し、ロック部材１４を介して締めつけ状態を調節してから、連結紐１２とロック部材１４が緩まないように、面ファスナー片１３ｂをロック部材１４に当接させた状態にして面ファスナー小片１３ａを面ファスナー片１３ｂに貼り付け、最後に面ファスナー小片１３ａを挟んだ状態にして下側の面ファスナー片１３ｂに上側の面ファスナー片１３ｃを貼り付ける。こうして、解除用操作部材１１が摘み片１３Ｅに連結されている。
【実施例７】
【００４２】
実施例７に係るバックル解除用補助具１０Ｆについて、図１７、図１８に基づいて説明する。但し、実施例１の構成要素と同様の構成要素に同様の符号を付して説明を省略する。バックル解除用補助具１０Ｆは、ループ状のループ状部分である解除用操作部材１１Ｆと、連結紐部材１２Ｆと、この連結紐部材１２Ｆを介して解除用操作部材１１Ｆに連結された摘み片１３とを有する。解除用操作部材１１Ｆは、合成樹脂製の結束バンドで構成されている。結束バンドは内面側に多数のギザギザの係合歯を有し、一端部に逆止爪を有するロック部が形成されている。尚、ギザギザの係合歯とロック部とがループ状部分のループ長を設定する設定手段に相当する。
【００４３】
図１８に示すように、解除用操作部材１１Ｆを雌バックル２と１対の係合爪７に外嵌状にセットしてから、結束バンドを適度に引き締めることで図１８に示す使用状態にする。その使用状態にしてから結束バンドの自由端側の余剰部分を切断して除去する。
このバックル解除用補助具１０Ｆは結束バンドのロック機能を活用するため、ロック部材を省略可能であるうえ、市販の安価な結束バンドを使用できるため有利である。
【実施例８】
【００４４】
実施例８に係るバックル解除用補助具１０Ｇについて、図１９に基づいて説明する。但し、実施例１の構成要素と同様の構成要素に同様の符号を付して説明を省略する。
バックル解除用補助具１０Ｇは、解除用操作部材１１Ｇと、連結紐１２と、摘み片１３とを有する。解除用操作部材１１Ｇは、合成樹脂又は金属製のＤ形枠部材であって、１対の操作ロッド部１１ｂと、Ｄ形の縦辺の途中部の開口部１１ｇとを有するＤ形枠部材に構成されている。この解除用操作部材１１Ｇの内面間間隔Ｄは、１対の係合爪７の最大幅部の幅よりも小さく設定され、開口部１１ｇの幅ｄは、雌バックル２の厚さよりも大きく形成されている。図示の幅Ｂは、雌バックル２の１対の操作用凹部５の部位における雌バックル２の最少幅よりも大きく設定してある。
【００４５】
そのため、解除用操作部材１１Ｇを、前記開口部１１ｇを介して、雌バックル２と１対の係合爪７に外嵌状に装着することができる。雌バックル２に装着した使用状態においては、１対の操作ロッド部１１ｂが雌バックル２に係合状態の１対の係合爪の最大幅部７ｍよりも小幅の先端側部分７ｆの表面に接触する状態になっている。
【実施例９】
【００４６】
実施例９に係るバックル解除用補助具１０Ｈについて、図２０に基づいて説明する。但し、実施例１の構成要素と同様の構成要素に同様の符号を付して説明を省略する。
バックル解除用補助具１０Ｈは、解除用操作部材１１Ｈと、連結紐１２と、摘み片１３とを有する。解除用操作部材１１Ｈは金属又は合成樹脂製のシャクルに構成されている。  前記シャクルは、１対の操作ロッド１１ｄと、これら操作ロッド１１ｄの端部同士間の開口部を開閉可能な着脱ロッドとを有する矩形枠部材に構成されている。
雌バックル２に装着した使用状態においては、１対の操作ロッド部１１ｄが雌バックル２に係合状態の１対の係合爪７の最大幅部７ｍよりも小幅の先端側部分７ｆの表面に接触する状態になっている。
【実施例１０】
【００４７】
実施例１０に係るバックル解除用補助具１０Ｋについて、図２１に基づいて説明する。但し、実施例１の構成要素と同様の構成要素に同様の符号を付して説明を省略する。
バックル解除用補助具１０Ｋは、解除用操作部材１１Ｋと、連結紐１２と、摘み片１３とを有する。解除用操作部材１１Ｋは、実施例７の結束バンドと同程度の可撓性を有する合成樹脂製の紐状部材で構成されている。例えば、本実施例の解除用操作部材１１Ｋは実施例７の結束バンドと同様の結束バンドでループ状のループ状部分に構成されている。
【００４８】
この解除用操作部材１１Ｋは、雌バックル２の１対の操作用凹部５に形成された１対の開口穴５ａと、１対の係合爪７が挿入される挿入穴６とに挿通され、この挿入穴６内で１対の係合爪７の最大幅部７ｍよりも小幅の先端側部分７ｆと先端部分７ｅ（図２参照）の表面に接触する状態にして開口穴５ａから外部へ雌バックル２の表面側へ延びる状態に装着されている。この解除用操作部材１１Ｋは、雌バックル２の外部においては緩んでいてもよいため、ロック部材が不要である。
【００４９】
雄バックル３を雌バックル２から分離するとき、連結紐１２に連結された摘み片１３を雄バックル３側へ手で引っ張ると、解除用操作部材１１Ｋが、１対の係合爪７の最大幅部７ｍよりも小幅の先端側部分７ｆと先端部分７ｅを幅縮小側（係合解除側）へ押すため、１対の係合爪７が係合解除されて雌バックル２から離脱する。
【００５０】
本発明の趣旨を逸脱しない範囲において前記実施例１〜１０に種々の変更を付加した形態で実施可能であり、本発明はそれらの変更形態を包含するものである。
例えば、サイドリリースバックルの１対の係合爪の側部に最大幅部がないようなストレートな外形に形成されている場合にも、例えば、実施例１０に係るバックル解除用補助具１０Ｋを適用することができる。
【産業上の利用可能性】
【００５１】
本発明のバックル解除用補助具は、サイドリリースバックルに装着した状態で使用中に、摘み部を引っ張るだけの簡単な操作により雌バックルから雄バックルを簡単に迅速に分離できるため、サイドリリースバックルが適用される種々の物品に適用できる。
【符号の説明】
【００５２】
１      サイドリリースバックル
２      雌バックル
３      雄バックル
５      操作用凹部
６      挿入穴
７      係合爪
７ｍ    最大幅部
７ｆ    先端側部分
７ｅ    先端部分
１０，１０Ａ〜１０Ｈ，１０Ｋ    バックル解除用補助具
１１，１１Ａ〜１１Ｄ，１１Ｆ，１１Ｇ，１１Ｋ      解除用操作部
１２，１２Ｃ        連結紐
１２Ｂ，１２Ｄ，１２Ｆ      連結紐部材
１３，１３Ｅ        摘み部
１４，１４Ａ        ロック部材
【手続補正２】
【補正対象書類名】特許請求の範囲
【補正対象項目名】全文
【補正方法】変更
【補正の内容】
【特許請求の範囲】
【請求項１】
雌バックルと、この雌バックルに係脱可能に挿入される１対の係合爪を有する雄バックルと、前記雌バックルに係合状態の１対の係合爪が外部へ部分的に露出するように雌バックルに形成された１対の操作用凹部とを有するサイドリリースバックルに装着されるバックル解除用補助具であって、
前記雌バックルに係合状態の前記１対の係合爪を解除側へ弾性変形させる為の解除用操作部材であって可撓性のある紐状部材でループ状に構成された解除用操作部材と、前記解除用操作部材に連結された摘み片とを有し、
前記解除用操作部材は、
前記雌バックルの１対の操作用凹部に部分的に露出した１対の係合爪の側部のうちの最大幅部よりも小幅の先端側部分に対応する位置において前記雌バックル及び１対の係合爪に外嵌状に装着されるループ状部分と、
前記ループ状部分が１対の係合爪の前記先端側部分の表面に、押圧力を付加しない限度内で引き締め状に接触するように前記ループ状部分のループ長を設定する設定手段とを備え、
前記摘み片を前記雄バックル側へ手で引っ張ることにより、前記解除用操作部材のループ状部分で１対の係合爪の最大幅部を係合解除側へ押圧し、前記雌バックルから１対の係合爪を離脱可能に構成したことを特徴とするバックル解除用補助具。
【請求項２】
雌バックルと、この雌バックルに係脱可能に挿入される１対の係合爪を有する雄バックルと、前記雌バックルに係合状態の１対の係合爪が外部へ部分的に露出するように雌バックルに形成された１対の操作用凹部とを有するサイドリリースバックルに装着されるバックル解除用補助具であって、
前記雌バックルに係合状態の前記１対の係合爪を解除側へ弾性変形させる為の解除用操作部材であって可撓性と伸縮性のある材料で構成された解除用操作部材と、前記解除用操作部材に連結された摘み片とを有し、
前記解除用操作部材は、
前記雌バックルの１対の操作用凹部に部分的に露出した１対の係合爪の側部のうちの最大幅部よりも小幅の先端側部分に対応する位置において前記雌バックル及び１対の係合爪に外嵌状に装着されるリング部であって、１対の係合爪の前記先端側部分の表面に押圧力を付加しない限度内で引き締め状に接触するようにリングの周長が設定されたリング部を備え、
前記摘み片を前記雄バックル側へ手で引っ張ることにより、前記解除用操作部材のリング部で１対の係合爪の最大幅部を係合解除側へ押圧し、前記雌バックルから１対の係合爪を離脱可能に構成したことを特徴とするバックル解除用補助具。
【請求項３】
前記解除用操作部材は面ファスナーで構成されたことを特徴とする請求項１に記載のバックル解除用補助具。
【請求項４】
前記解除用操作部材は結束バンドで構成されたことを特徴とする請求項１に記載のバックル解除用補助具。
【請求項５】
前記解除用操作部材は、そのループ状部分から一体的に延びる２本の連結紐により前記摘み片に連結され、前記連結紐のうちの前記ループ状部分側端部に、前記ループ状部分が緩まないようにロック可能なロック部材を前記設定手段として設けたことを特徴とする請求項１に記載のバックル解除用補助具。
【請求項６】
前記２本の連結紐の自由端部に面ファスナー小片を設け、前記摘み片を１対の面ファスナー片で構成し、前記面ファスナー小片を１対の面ファスナー片間に固着することにより、前記解除用操作部材を前記摘み片に連結したことを特徴とする請求項５に記載のバックル解除用補助具。
【請求項７】
前記解除用操作部材は、連結紐部材を介して前記摘み片に連結されたことを特徴とする請求項１〜６の何れか１つに記載のバックル解除用補助具。
【請求項８】
前記解除用操作部材のうち、前記雌バックルの背面に接触する部位に、雌バックルの背面に沿う形状に形成された硬質部を設けたことを特徴とする請求項１に記載のバックル解除用補助具。
【請求項９】
雌バックルと、この雌バックルに係脱可能に挿入される１対の係合爪を有する雄バックルと、前記雌バックルに係合状態の１対の係合爪が外部へ部分的に露出するように雌バックルに形成された１対の操作用凹部とを有するサイドリリースバックルに装着されるバックル解除用補助具であって、
前記雌バックルに係合状態の前記１対の係合爪を解除側へ弾性変形させる為の金属製又は合成樹脂製の解除用操作部材と、この解除用操作部材に連結された摘み片とを有し、
前記解除用操作部材は、１対の操作ロッド部と開口部を有するＤ形枠部材を備え、
前記開口部の幅が雌バックルの厚さよりも大きく設定され且つ１対の操作ロッド部の内面間間隔が１対の係合爪の最大幅よりも小さく設定され、
前記解除用操作部材は、前記雌バックルの１対の操作用凹部に対応する部位において前記開口部を介して前記雌バックル及び１対の係合爪に外嵌可能に構成され、
前記解除用操作部材を、雌バックルの１対の操作用凹部に部分的に露出した１対の係合爪の側部のうちの最大幅部よりも小幅の先端側部分の表面に前記１対の操作ロッド部が接触するように、前記雌バックル及び１対の係合爪に外嵌状に装着した状態において、前記摘み片を前記雄バックル側へ手で引っ張ることにより、前記解除用操作部材の１対の操作ロッド部で１対の係合爪の最大幅部を係合解除側へ押圧し、前記雌バックルから１対の係合爪を離脱可能に構成したことを特徴とするバックル解除用補助具。
【請求項１０】
雌バックルと、この雌バックルに係脱可能に挿入される１対の係合爪を有する雄バックルと、前記雌バックルに係合状態の１対の係合爪が外部へ部分的に露出するように雌バックルに形成された１対の操作用凹部とを有するサイドリリースバックルに装着されるバックル解除用補助具であって、
前記雌バックルに係合状態の前記１対の係合爪を解除側へ弾性変形させる為の金属製又は合成樹脂製の解除用操作部材と、この解除用操作部材に連結された摘み片とを有し、
前記解除用操作部材は、１対の操作ロッド部と、これら操作ロッド部の端部同士間の開口部を開閉可能な着脱ロッドとを有する矩形状の矩形枠部材を備え、
前記開口部の幅が雌バックルの厚さよりも大きく設定され且つ１対の操作ロッド部の内面間間隔が１対の係合爪の最大幅よりも小さく設定され、
前記解除用操作部材は、前記雌バックルの１対の操作用凹部に対応する部位において前記雌バックル及び１対の係合爪に外嵌可能に構成され、
前記解除用操作部材を、前記雌バックルの１対の操作用凹部に部分的に露出した１対の係合爪の側部のうちの最大幅部よりも小幅の先端側部分の表面に前記１対の操作ロッド部が接触するように、前記雌バックル及び１対の係合爪に外嵌状に装着した状態において、前記摘み片を前記雄バックル側へ手で引っ張ることにより、前記解除用操作部材の１対の操作ロッド部で１対の係合爪の最大幅部を係合解除側へ押圧し、前記雌バックルから１対の係合爪を離脱可能に構成したことを特徴とするバックル解除用補助具。
【請求項１１】
雌バックルと、この雌バックルに係脱可能に挿入される１対の係合爪を有する雄バックルと、前記雌バックルに係合状態の１対の係合爪が外部へ部分的に露出するように雌バックルに形成された１対の操作用凹部とを有するサイドリリースバックルに装着されるバックル解除用補助具であって、
前記雌バックルに係合状態の前記１対の係合爪を解除側へ弾性変形させる為の解除用操作部材であって合成樹脂製の可撓性のある紐状部材でループ状に構成した解除用操作部材と、前記解除用操作部材に連結された摘み片とを有し、
前記解除用操作部材は、
前記１対の係合爪が挿入された前記雌バックルの挿入穴内において前記１対の係合爪の最大幅部よりも小幅の先端側部分と先端部分の表面に接触し且つ前記１対の操作用凹部に形成された１対の開口穴から外部へ雌バックルの表面側へ延びる状態に装着されるループ状部分を備え、
前記摘み片を前記雄バックル側へ手で引っ張ることにより、前記解除用操作部材の前記ループ状部分で１対の係合爪の前記先端側部分を係合解除側へ押圧し、前記雌バックルから１対の係合爪を離脱可能に構成したことを特徴とするバックル解除用補助具。
【手続補正書】
【提出日】平成22年5月18日(2010.5.18)
【手続補正１】
【補正対象書類名】明細書
【補正対象項目名】全文
【補正方法】変更
【補正の内容】
【発明の詳細な説明】
【技術分野】
【０００１】  本発明は、雌バックルと雄バックルとを有するサイドリリースバックルと、その係合解除を簡単、迅速に行なえるようにしたバックル解除用補助具とに関するものである。
【背景技術】
【０００２】  特許文献１，２に示すように、サイドリリースバックルは、雌バックルと、この雌バックルに係脱可能に挿入される１対の係合爪を有する雄バックルと、係合状態の１対の係合爪が外部へ部分的に露出するように雌バックルに形成された１対の操作用凹部とを有するものである。サイドリリースバックルは、アウトドア用衣類、防寒具、防弾チョッキ、リュックサック、種々の収納バッグ、ペットの首輪などにおける、第１の部材と第２の部材を連結するのに使用されている。【０００３】  雌バックルは第１の部材に固着されたベルト部材の端部に取り付けられ、雄バックルは第２の部材に固着されたベルト部材に取り付けられ、雌バックルに雄バックルの１対の係合爪を係脱可能に係合させることにより、第１，第２の部材が連結される。尚、雌バックル及び／又は雄バックルにはベルト部材を長さ調節可能に連結するための調節式連結部を一体的に形成することもある。【０００４】  前記サイドリリースバックルの雌バックルに雄バックルの１対の係合爪を係合させた状態においては、１対の係合爪が雌バックルの１対の操作用凹部から外部へ部分的に露出する。雌バックルから雄バックルを分離する際には、手の２本の指でもって１対の係合爪を操作用凹部へ押し込むことにより、１対の係合爪を雌バックルから離脱させる。
【先行技術文献】
【特許文献】
【０００５】
【特許文献１】特開平１１−３４２００８号公報
【特許文献１】特開２００６−２６２０７号公報
【発明の概要】
【発明が解決しようとする課題】
【０００６】  前記雌バックルから雄バックルを分離するには、１対の係合爪を２本の指で摘んで押し込まなければならない。しかし、厚手の手袋を着用している場合や指の爪にネイルアートを施している場合には、操作性が悪化するため１対の係合爪を確実に迅速に押し込むことができず、時間と労力がかかる。【０００７】  また、サイドリリースバックルが身体の側部側や背部側に位置している場合には、１対の係合爪を２本の指で摘むことが困難で、雌バックルから雄バックルを分離することができない。また、特に小形のサイドリリースバックルの場合にも、１対の係合爪を２本の指で摘むことが困難で、雌バックルから雄バックルを分離するのに時間がかかる。【０００８】  本発明の目的は、雌バックルから雄バックルを簡単に迅速に分離することができるバックル解除用補助具と、そのバックル解除用補助具を備えたサイドリリースバックルを提供することである。
【課題を解決するための手段】
【０００９】  請求項１のバックル解除用補助具は、雌バックルと、この雌バックルに係脱可能に挿入される１対の係合爪を有する雄バックルと、雌バックルに係合状態の１対の係合爪が外部へ部分的に露出するように雌バックルに形成された１対の操作用凹部とを有するサイドリリースバックルに装着されるバックル解除用補助具であって、前記雌バックルに係合状態の前記１対の係合爪を解除側へ弾性変形させる為の解除用操作部材であって可撓性のある紐状部材でループ状に構成した解除用操作部材と、前記解除用操作部材に連結された摘み片とを有し、前記解除用操作部材は、前記雌バックルの１対の操作用凹部に部分的に露出した１対の係合爪の側部のうちの最大幅部よりも小幅の先端側部分に対応する位置において、前記雌バックル及び１対の係合爪に外嵌状に装着されるループ状部分と、前記ループ状部分が１対の係合爪の前記先端側部分の表面に、押圧力を付加しない限度内で引き締め状に接触するように前記ループ状部分のループ長を設定する設定手段とを備え、前記摘み片を前記雄バックル側へ手で引っ張ることにより、前記解除用操作部材のループ状部分で１対の係合爪の最大幅部を係合解除側へ押圧し、前記雌バックルから１対の係合爪を離脱可能に構成したことを特徴としている。  請求項２のバックル解除用補助具は、雌バックルと、この雌バックルに係脱可能に挿入される１対の係合爪を有する雄バックルと、前記雌バックルに係合状態の１対の係合爪が外部へ部分的に露出するように雌バックルに形成された１対の操作用凹部とを有するサイドリリースバックルに装着されるバックル解除用補助具であって、前記雌バックルに係合状態の前記１対の係合爪を解除側へ弾性変形させる為の解除用操作部材であって可撓性と伸縮性のある材料で構成された解除用操作部材と、前記解除用操作部材に連結された摘み片とを有し、前記解除用操作部材は、前記雌バックルの１対の操作用凹部に部分的に露出した１対の係合爪の側部のうちの最大幅部よりも小幅の先端側部分に対応する位置において前記雌バックル及び１対の係合爪に外嵌状に装着されるリング部であって、１対の係合爪の前記先端側部分の表面に押圧力を付加しない限度内で引き締め状に接触するようにリングの周長が設定されたリング部を備え、前記摘み片を前記雄バックル側へ手で引っ張ることにより、前記解除用操作部材のリング部で１対の係合爪の最大幅部を係合解除側へ押圧し、前記雌バックルから１対の係合爪を離脱可能に構成したことを特徴としている。 請求項３のバックル解除用補助具は、雌バックルと、この雌バックルに係脱可能に挿入される１対の係合爪を有する雄バックルと、前記雌バックルに係合状態の１対の係合爪が外部へ部分的に露出するように雌バックルに形成された１対の操作用凹部とを有するサイドリリースバックルに装着されるバックル解除用補助具であって、前記雌バックルに係合状態の前記１対の係合爪を解除側へ弾性変形させる為の解除用操作部材であって紐状の面ファスナーでループ状に構成された解除用操作部材と、前記解除用操作部材に連結された摘み片とを有し、前記解除用操作部材は、前記雌バックルの１対の操作用凹部に部分的に露出した１対の係合爪の側部のうちの最大幅部より���小幅の先端側部分に対応する位置において前記雌バックル及び１対の係合爪に外嵌状に装着されるループ状部分と、前記ループ状部分が１対の係合爪の前記先端側部分の表面に、押圧力を付加しない限度内で引き締め状に接触するように前記ループ状部分のループ長を設定する設定手段とを備え、前記摘み片を前記雄バックル側へ手で引っ張ることにより、前記解除用操作部材のループ状部分で１対の係合爪の最大幅部を係合解除側へ押圧し、前記雌バックルから１対の係合爪を離脱可能に構成したことを特徴としている。  請求項９のバックル解除用補助具は、雌バックルと、この雌バックルに係脱可能に挿入される１対の係合爪を有する雄バックルと、前記雌バックルに係合状態の１対の係合爪が外部へ部分的に露出するように雌バックルに形成された１対の操作用凹部とを有するサイドリリースバックルに装着されるバックル解除用補助具であって、前記雌バックルに係合状態の前記１対の係合爪を解除側へ弾性変形させる為の金属製又は合成樹脂製の解除用操作部材と、この解除用操作部材に連結された摘み片とを有し、前記解除用操作部材は、１対の操作ロッド部と開口部を有するＤ形枠部材を備え、前記開口部の幅が雌バックルの厚さよりも大きく設定され且つ１対の操作ロッド部の内面間間隔が１対の係合爪の最大幅よりも小さく設定され、前記解除用操作部材は、前記雌バックルの１対の操作用凹部に対応する部位において前記開口部を介して前記雌バックル及び１対の係合爪に外嵌可能に構成され、前記解除用操作部材を、雌バックルの１対の操作用凹部に部分的に露出した１対の係合爪の側部のうちの最大幅部よりも小幅の先端側部分の表面に前記１対の操作ロッド部が接触するように、前記雌バックル及び１対の係合爪に外嵌状に装着した状態において、前記摘み片を前記雄バックル側へ手で引っ張ることにより、前記解除用操作部材の１対の操作ロッド部で１対の係合爪の最大幅部を係合解除側へ押圧し、前記雌バックルから１対の係合爪を離脱可能に構成したことを特徴としている。  請求項１０のバックル解除用補助具は、雌バックルと、この雌バックルに係脱可能に挿入される１対の係合爪を有する雄バックルと、前記雌バックルに係合状態の１対の係合爪が外部へ部分的に露出するように雌バックルに形成された１対の操作用凹部とを有するサイドリリースバックルに装着されるバックル解除用補助具であって、前記雌バックルに係合状態の前記１対の係合爪を解除側へ弾性変形させる為の金属製又は合成樹脂製の解除用操作部材と、この解除用操作部材に連結された摘み片とを有し、前記解除用操作部材は、１対の操作ロッド部と、これら操作ロッド部の端部同士間の開口部を開閉可能な着脱ロッドとを有する矩形状の矩形枠部材を備え、前記開口部の幅が雌バックルの厚さよりも大きく設定され且つ１対の操作ロッド部の内面間間隔が１対の係合爪の最大幅よりも小さく設定され、前記解除用操作部材は、前記雌バックルの１対の操作用凹部に対応する部位において前記雌バックル及び１対の係合爪に外嵌可能に構成され、前記解除用操作部材を、前記雌バックルの１対の操作用凹部に部分的に露出した１対の係合爪の側部のうちの最大幅部よりも小幅の先端側部分の表面に前記１対の操作ロッド部が接触するように、前記雌バックル及び１対の係合爪に外嵌状に装着した状態において、前記摘み片を前記雄バックル側へ手で引っ張ることにより、前記解除用操作部材の１対の操作ロッド部で１対の係合爪の最大幅部を係合解除側へ押圧し、前記雌バックルから１対の係合爪を離脱可能に構成したことを特徴としている。  請求項１１のサイドリリースバックルは、雌バックルと、この雌バックルに係脱可能に挿入される１対の係合爪を有する雄バックルと、前記雌バックルに係合状態の１対の係合爪が外部へ部分的に露出するように雌バックルに形成された１対の操作用凹部と、前記雌バックルに係合状態の１対の係合爪を係合解除させる為の解除用操作手段とを有するサイドリリースバックルであって、前記解除用操作手段は、前記雌バックルに係合状態の前記１対の係合爪を解除側へ弾性変形させる為の解除用操作部材であって合成樹脂製の可撓性のある紐状部材でループ状に構成した解除用操作部材と、前記解除用操作部材に連結された摘み片とを有し、前記解除用操作部材は、前記１対の係合爪が挿入された前記雌バックルの挿入穴内において前記１対の係合爪の最大幅部よりも小幅の先端側部分と先端部分の表面に接触し且つ前記１対の操作用凹部に形成された１対の開口穴から外部へ雌バックルの表面側へ延びる状態に装着されるループ状部分を備え、前記摘み片を前記雄バックル側へ手で引っ張ることにより、前記解除用操作部材の前記ループ状部分で１対の係合爪の前記先端側部分を係合解除側へ押圧し、前記雌バックルから１対の係合爪を離脱可能に構成したことを特徴としている。 請求項１２のサイドリリースバックルは、請求項１〜１０の何れか１項に記載のバックル解除用補助具を設けたことを特徴としている。【００１０】  前記の構成に加えて、次のような種々の構成を採用してもよい。（１）前記解除用操作部材は結束バンドでリング状に構成してもよい。この構成において、前記解除用操作部材を連結紐部材を介して前記摘み片に連結してもよい。【００１１】（２）前記解除用操作部材は、そのループ状部分から一体的に延びる２本の連結紐により前記摘み片に連結し、前記連結紐のうちの前記ループ状部分側端部を、前記ループ状部分が緩まないようにロックするロック部材を設ける。  この構成において、前記２本の連結紐の自由端部に面ファスナー小片を設け、前記摘み片を１対の面ファスナー片で構成し、前記面ファスナー小片を１対の面ファスナー片間に固着することにより、前記解除用操作部材を前記摘み片に連結してもよい。された。【００１２】（３）前記解除用操作部材のうち、前記雌バックルの背面に接触する部位に、雌バックルの背面に沿う形状に形成された硬質部を設けてもよい。
【発明の効果】
【００１３】  本願のバックル解除用補助具によれば、前記摘み片を雄バックル側へ手で引っ張ると、１対の係合爪に接触している解除用操作部材により、１対の係合爪の雌バックルへの係合が解除されて、雌バックルから１対の係合爪を離脱させることができる。厚手の手袋を装着している場合でも、指先の爪にネイルアートを施している場合でも、前記摘み片を摘んで簡単かつ迅速に瞬時に１対の係合爪を離脱させることができる。【００１４】  そして、サイドリリースバックルが身体の側部側や背部側に位置している場合にも、前記摘み片を摘んで簡単かつ迅速に１対の係合爪を離脱させることができる。また、特に小形のサイドリリースバックルの場合にも、前記摘み片を摘んで簡単かつ迅速に１対の係合爪を離脱させることができる。 本願のサイドリリースバックルによれば、摘み片を摘んで簡単かつ迅速に瞬時に１対の係合爪を離脱させることができる。
【図面の簡単な説明】
【００１５】
【図１】本発明の実施例の防弾チョッキとその複数のサイドリリースバックルと複数のサイドリリースバックルに適用した複数のバックル解除用補助具の正面図である。
【図２】サイドリリースバックルの分解斜視図である。
【図３】雌雄のバックルを係合態にしたサイドリリースバックルの斜視図である。
【図４】バックル解除用補助具の斜視図である。
【図５】バックル解除用補助具をサイドリリースバックルに装着した状態を示す斜視図である。
【図６】バックル解除用補助具をサイドリリースバックルに装着した状態を示す正面図である。
【図７】実施例２のバックル解除用補助具の斜視図である。
【図８】実施例２の図５相当図である。
【図９】実施例３のバックル解除用補助具の斜視図である。
【図１０】実施例３の図５相当図である。
【図１１】実施例４のバックル解除用補助具の斜視図である。
【図１２】実施例４の図５相当図である。
【図１３】実施例５のバックル解除用補助具の斜視図である。
【図１４】実施例５の図５相当図である。
【図１５】実施例６のバックル解除用補助具の斜視図である。
【図１６】実施例６の図５相当図である。
【図１７】実施例７のバックル解除用補助具の斜視図である。
【図１８】実施例７の図５相当図である。
【図１９】実施例８のバックル解除用補助具の斜視図である。
【図２０】実施例９のバックル解除用補助具の斜視図である。
【図２１】実施例１０のバックル解除用補助具をサイドリリースバックルに装着した状態を示す斜視図である。
【発明を実施するための形態】
【００１６】  以下、本発明を実施するための形態について実施例に基づいて説明する。
【実施例１】
【００１７】  本実施例は、防弾チョッキＶＥに装備したサイドリリースバックル１に本発明を適用した場合の一例を示すものである。図１に示す防弾チョッキＶＥにおいて、左右の肩部にはサイドリリースバックル１により解除可能に連結する左右１対の連結部が設けられ、また、胴部の下端部にはサイドリリースバックル１により解除可能に連結する左右１対の連結部が設けられ、これら４つのサイドリリースバックル１には本発明のバックル解除用補助具１０が装着されている。【００１８】  最初に、上記のサイドリリースバックル１について説明する。  図２、図３に示すように、サイドリリースバックル１は、合成樹脂製の雌バックル２と、合成樹脂製の雄バックル３とを備えている。雌バックル２は、上端部にベルト連結部２ａを有し、このベルト連結部２ａに防弾チョッキＶＥに固着されたベルト４ａが連結されている。雌バックル２の中段部（途中部）には、両側部から中心側へ凹入した１対の操作用凹部５が形成されている。【００１９】  雄バックル３は、１対の係合爪７と、それら係合爪７間の中間に形成されたガイド片８と、防弾チョッキＶＥに固着されたベルト４ｂを長さ調節可能に連結する調節式ベルト連結部９とを有し、ベルト連結部９には防弾チョッキＶＥに固着されたベルト４ｂが長さ調節可能に連結されている。【００２０】  雌バックル２には、雄バックル３側端部から雄バックル３の１対の係合爪７を挿入する為の挿入穴６が形成され、この挿入穴６は開口部５ａを介して１対の操作用凹部５に開口しており、雄バックル３の１対の係合爪７を挿入穴６に挿入した状態では、図３に示すように、１対の係合爪７の側部が開口部５ａから外部に部分的に露出している。【００２１】  雄バックル３の係合爪７は、弾性変形可能な細いロッド部７ａと、このロッド部７ａの先端に厚く一体形成された爪部７ｂを有し、爪部７ｂのロッド部７ａ側端部に段部７ｃが形成されている。爪部７ｂの側部には、幅方向の外側へ凸に膨らんだ最大幅部７ｍと、この最大幅部７ｍより小幅の先端側部分７ｆとが形成されている。    １対の係合爪７が挿入穴６に挿入されると、１対の段部７ｃが雌バックル２の１対の操作用凹部５の縁部にある係止部５ｂで係止され、抜け止めされた係合状態になる（図３参照）。この係合状態において、１対の係合爪７の最大幅部７ｍと先端側部分７ｆとが１対の操作用凹部５から部分的に露出した状態になる。１対の爪部７ｂの幅は最大幅部７ｍから先端側部分７ｆにかけて徐々に減少し、また、先端側部分７ｆから先端部分７ｅにかけて徐々に減少する。【００２２】  雌バックル２から雄バックル３を離脱させる際には、図３に示す状態において、１対の操作用凹部５から露出している１対の係合爪７の側部の最大幅部７ｍを外部から２本の指で挟んで雌バックル２内へ僅かに押し込むと、１対の段部７ｃが係止部から外れるため、１対の係合爪７を雌バックル２から離脱させることできる。【００２３】  図４〜図６に示すように、バックル解除用補助具１０は、雌バックル２に係合状態の１対の係合爪７を解除側へ弾性変形させる為の解除用操作部材１１と、その両端から一体的に延びる２本の連結紐１２と、この連結紐１２の先端部分に連結された摘み片１３と、���結紐１２のうちの解除用操作部材１１側の端部を解除用操作部材１１が緩まないようにロックするロック部材１４とを有する。【００２４】  前記解除用操作部材１１は、可撓性を有するベルト状の紐状部材でループ状のループ状部分に構成され、この紐状部材は合成樹脂繊維からなる偏平チューブ状の２重の織布で構成されている。前記解除用操作部材１１のうち、図５に示すように、雌バックル２に外嵌状に装着した状態において、雌バックル２の背面に接触する部位に、雌バックル２の背面に沿う形状に形成された硬質部１１ａが設けられている。この硬質部１１ａは偏平チューブ内に金属製又は合成樹脂製の小片を挿入して小片の両端部の偏平チューブに縫目を形成することで一定位置に保持されている。この硬質部１１ａを設けるのは、雌バックル２に外嵌状に装着した状態において解除用操作部材１１が雌バックル２に対して回転するのを防止し、ロック部材１４と摘み片１３を前面側（表面側）の所定位置に位置させておくためである。【００２５】  前記ロック部材１４は、合成樹脂製の外筒１４ａと、この外筒１４ａに位置可変に装着された可動片１４ｂと、外筒１４ａの内部に装着されて可動片１４ｂを突出側へ付勢する圧縮バネ（図示略）とで構成されている。外筒１４ａに形成した貫通穴１４ｃと、可動片１４ｂに形成した貫通穴１４ｄとに連結紐１２を挿通させて外筒１４ａと可動片１４ｂとで連結紐１１をロック可能に構成されている。可動片１４ｂを押し込むことでロック解除可能である。尚、上記のロック部材１４は一例を示すものであり、種々のロック部材を採用可能である。【００２６】  前記摘み片１３は、合成樹脂繊維の織布からなる２枚のベルト片の間に、連結紐１２の先端部分を挟みこんで縫い合せた構成のものである。但し、摘み片１３の構成は上記に限定されるものではなく、指で簡単に摘むことができるものであればよく、材質や形状や大きさは自由に設定することができる。【００２７】  バックル解除用補助具１０を図２に示す状態の雌バックル２に装着する際には、解除用操作部材１１を緩めた状態にして雌バックル２に外嵌する。次に、雌バックル２に雄バックル３の１対の係合爪７を挿入して係合させた状態において、雌バックル２と１対の係合爪７に外嵌された解除用操作部材１１を、雌バックル２の１対の操作用凹部５に部分的に露出した１対の係合爪７の側部（特に、最大幅部７ｍよりも小幅の先端側の先端側部分７ｆ）の表面に接触状態にする。そして、１対の係合爪７に押圧力を付加しない限度内で、解除用操作部材１１を引き締めた状態にしてロック部材１４をロック状態にすると、図５、図６の使用状態になる。尚、ロック部材１４が、ループ状部分（解除用操作部材１１）のループ長を上記使用状態のときのループ長となるように設定する設定手段に相当する。【００２８】  尚、雌バックル２に雄バックル３の１対の係合爪７を挿入しない状態において、解除用操作部材１１を引き締めた状態にしてからロック部材１４をロック状態にし、その状態において、雄バックル３の１対の係合爪７を雌バックル２に挿入した場合も、図５、図６の使用状態になる。【００２９】  その使用状態において、サイドリリースバックル１の雌バックル２から雄バッ���ル３を分離する際には、摘み片１３を雄バックル３側へ手で引っ張ることにより、解除用操作部材１１で１対の係合爪７の最大幅部７ｍを係合解除側へ押し込み、雌バックル２から１対の係合爪７を離脱せることができる。その後、再び雄バックル３を雌バックル２に係合させると、図５、図６の使用状態になる。尚、本発明に係るバックル解除用補助具１０は、種々のサイズのものに構成することにより、種々のサイズのサイドリリースバックル１に適用することができることは勿論である。【００３０】  以上説明したバックル解除用補助具１０の作用、効果について説明する。  上記のように、図５、図６に示すようにサイドリリースバックル１に装着して使用している使用状態において、雌バックル２から雄バックル３を分離する際には、摘み片１３を雄バックル３側へ手で引っ張ることにより、解除用操作部材１１を係合爪７の最大幅部７ｍの方へ移動させることにより、１対の係合爪７を係合解除側へ押し込み、雌バックル２から１対の係合爪７（つまり、雄バックル３）を簡単に迅速に瞬時に離脱させることができる。そして、その分離した雄バックル３を雌バックル２に係合させると、図５、図６の使用状態になるため、バックル解除用補助具１０を１度雌バックル２にセットすれば、繰り返し使用することができる。【００３１】  解除用操作部材１１に硬質部１１ａを形成してあるため、使用中に解除用操作部材１１が雌バックル２に対して相対的に回転するのを確実に防止できるから、ロック部材１４と摘み片１３とを常時前面側（正面側）に位置させ、係合解除の際に解除用操作部材１１により１対の係合爪７を確実に係合解除させることができる。【００３２】  厚手の手袋を装着している場合でも、指の爪にネイルアートを施している場合でも、摘み片１３を摘んで簡単かつ迅速に瞬時に１対の係合爪７を離脱させることができる。サイドリリースバックル１が身体の側部側や背部側に位置している場合にも、摘み片１３を摘んで簡単かつ迅速に１対の係合爪７を離脱させることができる。また、特に小形のサイドリリースバックル１の場合にも、摘み片１３を摘んで簡単かつ迅速に１対の係合爪７を離脱させることができる。【００３３】  特に、図１に示す防弾チョッキＶＥを着用している着用者が負傷したような場合に、１秒を争って緊急に防弾チョッキＶＥを脱がせる場合に、バックル解除用補助具１０により雌バックル２と雄バックル３の係合を瞬時に分離することができる。バックル解除用補助具１０を危険作業や戦争に従事する人が着用する衣類や装備品に適用した場合も同様である。
【実施例２】
【００３４】  実施例２に係るバックル解除用補助具１０Ａとサイドリリースバックルについて、図７、図８に基づいて説明する。但し、実施例１の構成要素と同様の構成要素に同様の符号を付して説明を省略する。このバックル解除用補助具１０Ａにおいては、連結紐１２をロックする為のロック部材として、金属製又は合成樹脂製のソリッド形ロック部材１４Ａが採用されている。【００３５】  ソリッド形ロック部材１４Ａは、断面メガネ形の本体部材に２つの貫通孔１４ｈを形成し、それらの貫通孔１４ｈに２本の連結紐１２を夫々挿通させ、２本のビス１５を螺合してソリッド形ロック部材１４Ａに連結紐１２を固定している。図８に示すように、解除用操作部材１１をサイドリリースバックル１に装着し、ロック部材１４Ａにより連結紐１２を適度に締めてから２本のビス１５を螺合するものとする。ソリッド形ロック部材１４Ａが簡単で小形の構成であるため、コンパクトで、製作費も安価になる。ソリッド形ロック部材１４Ａの本体部材の形状は図示のものに限定されず、直方体形、円柱形、長円柱形など種々の形状に形成することができる。
【実施例３】
【００３６】  実施例３に係るバックル解除用補助具１０Ｂとサイドリリースバックルについて、図９、図１０に基づいて説明する。但し、実施例１の構成要素と同様の構成要素に同様の符号を付して説明を省略する。このバックル解除用補助具１０Ｂの解除用操作部材１１Ｂは可撓性と伸縮性のある合成樹脂又はゴム製のリング部材で構成され、この解除用操作部材１１Ｂは、連結紐部材１２Ｂを介して摘み片１３に連結されている。本実施例では、合成ゴム製のＯリングを解除用操作部材１１Ｂとして採用した。尚、連結紐部材１２Ｂは前記連結紐１２と同様のものである。【００３７】  解除用操作部材１１Ｂは、１対の係合爪７を押し込むことができる適度の太さの適度の弾性を有するＯリングで構成され、図１０に示す状態に装着した状態では、弾性的に適度に伸長した状態になっている。この解除用操作部材１１Ｂは、サイドリリースバックル１のサイズに適した種々のサイズ（つまり、周長）のＯリングを用いて構成することができるため、簡単に安価に製作することができる。しかも、この解除用操作部材１１Ｂは、伸長させた状態にして雌バックル２に装着することができ、その状態から僅かに収縮させた状態に保持して使用できるため、前記ロック部材を省略可能できるうえ、市販の安価なＯリングを適用するため有利である。尚、Ｏリングの材質は、合成樹脂、合成ゴム、天然ゴムの中から選択可能であるが、シリコーンゴムや４フッ化エチレン系合成樹脂等が望ましい。
【実施例４】
【００３８】  実施例４に係るバックル解除用補助具１０Ｃとサイドリリースバックルについて、図１１、図１２に基づいて説明する。但し、実施例１の構成要素と同様の構成要素に同様の符号を付して説明を省略する。バックル解除用補助具１０Ｃは、ループ状のループ状部分である解除用操作部材１１Ｃと、連結紐１２Ｃと、ロック部材１４と、摘み片１３とを有する。解除用操作部材１１Ｃは、ロック部材１４を挿通した１本の連結紐１２Ｃをループ状にし、その連結紐１２Ｃの先端部を小ループ１１ｃを介して連結紐１２Ｃの途中部に連結した。
【実施例５】
【００３９】  実施例５に係るバックル解除用補助具１０Ｄとサイドリリースバックルについて、図１３、図１４に基づいて説明する。但し、実施例１の構成要素と同様の構成要素に同様の符号を付して説明を省略する。バックル解除用補助具１０Ｄは、解除用操作部材１１Ｄと、連結紐部材１２Ｄと、摘み片１３とを有する。解除用操作部材１１Ｄは、狭幅の紐状の面ファスナーの一端部分の外面に、面ファスナーの他端部分の内面を貼り付けることにより、リング状（ループ状）のループ状部分に構成してある。この解除用操作部材１１Ｄの場合、雌バックル２に解除用操作部材１１Ｄを外嵌させ、締めつけ状態を調整してから貼り付けてリング状にするため、ロック部材を省略できる。つまり、面ファスナーの一端部分と他端部分とがループ長を設定する設定手段に相当する。
【実施例６】
【００４０】  実施例６に係るバックル解除用補助具１０Ｅとサイドリリースバックルについて、図１５、図１６に基づいて説明する。但し、実施例１の構成要素と同様の構成要素に同様の符号を付して説明を省略する。バックル解除用補助具１０Ｅは、解除用操作部材１１と、連結紐１２と、ロック部材１４と、摘み片１３Ｅとを有する。摘み片１３Ｅは、２本の連結紐１２の自由端部に設けた面ファスナー小片１３ａと、１対の面ファスナー片１３ｂ，１３ｃとで構成されている。【００４１】  解除用操作部材１１を雌バックル２に外嵌し、ロック部材１４を介して締めつけ状態を調節してから、連結紐１２とロック部材１４が緩まないように、面ファスナー片１３ｂをロック部材１４に当接させた状態にして面ファスナー小片１３ａを面ファスナー片１３ｂに貼り付け、最後に面ファスナー小片１３ａを挟んだ状態にして下側の面ファスナー片１３ｂに上側の面ファスナー片１３ｃを貼り付ける。こうして、解除用操作部材１１が摘み片１３Ｅに連結されている。
【実施例７】
【００４２】  実施例７に係るバックル解除用補助具１０Ｆとサイドリリースバックルについて、図１７、図１８に基づいて説明する。但し、実施例１の構成要素と同様の構成要素に同様の符号を付して説明を省略する。バックル解除用補助具１０Ｆは、ループ状のループ状部分である解除用操作部材１１Ｆと、連結紐部材１２Ｆと、この連結紐部材１２Ｆを介して解除用操作部材１１Ｆに連結された摘み片１３とを有する。解除用操作部材１１Ｆは、合成樹脂製の結束バンドで構成されている。結束バンドは内面側に多数のギザギザの係合歯を有し、一端部に逆止爪を有するロック部が形成されている。尚、ギザギザの係合歯とロック部とがループ状部分のループ長を設定する設定手段に相当する。【００４３】  図１８に示すように、解除用操作部材１１Ｆを雌バックル２と１対の係合爪７に外嵌状にセットしてから、結束バンドを適度に引き締めることで図１８に示す使用状態にする。その使用状態にしてから結束バンドの自由端側の余剰部分を切断して除去する。  このバックル解除用補助具１０Ｆは結束バンドのロック機能を活用するため、ロック部材を省略可能であるうえ、市販の安価な結束バンドを使用できるため有利である。
【実施例８】
【００４４】  実施例８に係るバックル解除用補助具１０Ｇについて、図１９に基づいて説明する。但し、実施例１の構成要素と同様の構成要素に同様の符号を付して説明を省略する。  バックル解除用補助具１０Ｇは、解除用操作部材１１Ｇと、連結紐１２と、摘み片１３とを有する。解除用操作部材１１Ｇは、合成樹脂又は金属製のＤ形枠部材であって、１対の操作ロッド部１１ｂと、Ｄ形の縦辺の途中部の開口部１１ｇとを有するＤ形枠部材に構成されている。この解除用操作部材１１Ｇの内面間間隔Ｄは、１対の係合爪７の最大幅部の幅よりも小さく設定され、開口部１１ｇの幅ｄは、雌バックル２の厚さよりも大きく形成されている。図示の幅Ｂは、雌バックル２の１対の操作用凹部５の部位における雌バックル２の最少幅よりも大きく設定してある。【００４５】  そのため、解除用操作部材１１Ｇを、前記開口部１１ｇを介して、雌バックル２と１対の係合爪７に外嵌状に装着することができる。雌バックル２に装着した使用状態においては、１対の操作ロッド部１１ｂが雌バックル２に係合状態の１対の係合爪の最大幅部７ｍよりも小幅の先端側部分７ｆの表面に接触する状態になっている。
【実施例９】
【００４６】  実施例９に係るバックル解除用補助具１０Ｈについて、図２０に基づいて説明する。但し、実施例１の構成要素と同様の構成要素に同様の符号を付して説明を省略する。  バックル解除用補助具１０Ｈは、解除用操作部材１１Ｈと、連結紐１２と、摘み片１３とを有する。解除用操作部材１１Ｈは金属又は合成樹脂製のシャクルに構成されている。  前記シャクルは、１対の操作ロッド１１ｄと、これら操作ロッド１１ｄの端部同士間の開口部を開閉可能な着脱ロッドとを有する矩形枠部材に構成されている。  雌バックル２に装着した使用状態においては、１対の操作ロッド部１１ｄが雌バックル２に係合状態の１対の係合爪７の最大幅部７ｍよりも小幅の先端側部分７ｆの表面に接触する状態になっている。
【実施例１０】
【００４７】  実施例１０に係るバックル解除用補助具１０Ｋとサイドリリースバックルについて、図２１に基づいて説明する。但し、実施例１の構成要素と同様の構成要素に同様の符号を付して説明を省略する。  バックル解除用補助具１０Ｋは、解除用操作部材１１Ｋと、連結紐１２と、摘み片１３とを有する。解除用操作部材１１Ｋは、実施例７の結束バンドと同程度の可撓性を有する合成樹脂製の紐状部材で構成されている。例えば、本実施例の解除用操作部材１１Ｋは実施例７の結束バンドと同様の結束バンドでループ状のループ状部分に構成されている。【００４８】  この解除用操作部材１１Ｋは、雌バックル２の１対の操作用凹部５に形成された１対の開口穴５ａと、１対の係合爪７が挿入される挿入穴６とに挿通され、この挿入穴６内で１対の係合爪７の最大幅部７ｍよりも小幅の先端側部分７ｆと先端部分７ｅ（図２参照）の表面に接触する状態にして開口穴５ａから外部へ雌バックル２の表面側へ延びる状態に装着されている。この解除用操作部材１１Ｋは、雌バックル２の外部においては緩んでいてもよいため、ロック部材が不要である。【００４９】  雄バックル３を雌バックル２から分離するとき、連結紐１２に連結された摘み片１３を雄バックル３側へ手で引っ張ると、解除用操作部材１１Ｋが、１対の係合爪７の最大幅部７ｍよりも小幅の先端側部分７ｆと先端部分７ｅを幅縮小側（係合解除側）へ押すため、１対の係合爪７が係合解除されて雌バックル２から離脱する。【００５０】  本発明の趣旨を逸脱しない範囲において前記実施例１〜１０に種々の変更を付加した形態で実施可能であり、本発明はそれらの変更形態を包含するものである。  例えば、サイドリリースバックルの１対の係合爪の側部に最大幅部がないようなストレートな外形に形成されている場合にも、例えば、実施例１０に係るバックル解除用補助具１０Ｋを適用することができる。
【産業上の利用可能性】
【００５１】  本発明のバックル解除用補助具及びサイドリリースバックルは、サイドリリースバックルにバックル解除用補助具を装着した状態で使用中に、摘み部を引っ張るだけの簡単な操作により雌バックルから雄バックルを簡単に迅速に分離できるため、サイドリリースバックルが適用される種々の物品に適用できる。
【符号の説明】
【００５２】１      サイドリリースバックル２      雌バックル３      雄バックル５      操作用凹部６      挿入穴７      係合爪７ｍ    最大幅部７ｆ    先端側部分７ｅ    先端部分１０，１０Ａ〜１０Ｈ，１０Ｋ    バックル解除用補助具１１，１１Ａ〜１１Ｄ，１１Ｆ，１１Ｇ，１１Ｋ      解除用操作部１２，１２Ｃ        連結紐１２Ｂ，１２Ｄ，１２Ｆ      連結紐部材１３，１３Ｅ        摘み部１４，１４Ａ        ロック部材
【手続補正２】
【補正対象書類名】特許請求の範囲
【補正対象項目名】全文
【補正方法】変更
【補正の内容】
【特許請求の範囲】
【請求項１】
雌バックルと、この雌バックルに係脱可能に挿入される１対の係合爪を有する雄バックルと、前記雌バックルに係合状態の１対の係合爪が外部へ部分的に露出するように雌バックルに形成された１対の操作用凹部とを有するサイドリリースバックルに装着されるバックル解除用補助具であって、  前記雌バックルに係合状態の前記１対の係合爪を解除側へ弾性変形させる為の解除用操作部材であって可撓性のある紐状部材でループ状に構成された解除用操作部材と、前記解除用操作部材に連結された摘み片とを有し、  前記解除用操作部材は、  前記雌バックルの１対の操作用凹部に部分的に露出した１対の係合爪の側部のうちの最大幅部よりも小幅の先端側部分に対応する位置において前記雌バックル及び１対の係合爪に外嵌状に装着されるループ状部分と、  前記ループ状部分が１対の係合爪の前記先端側部分の表面に、押圧力を付加しない限度内で引き締め状に接触するように前記ループ状部分のループ長を設定する設定手段とを備え、  前記摘み片を前記雄バックル側へ手で引っ張ることにより、前記解除用操作部材のループ状部分で１対の係合爪の最大幅部を係合解除側へ押圧し、前記雌バックルから１対の係合爪を離脱可能に構成したことを特徴とするバックル解除用補助具。
【請求項２】
雌バックルと、この雌バックルに係脱可能に挿入される１対の係合爪を有する雄バックルと、前記雌バックルに係合状態の１対の係合爪が外部へ部分的に露出するように雌バックルに形成された１対の操作用凹部とを有するサイドリリースバックルに装着されるバックル解除用補助具であって、  前記雌バックルに係合状態の前記１対の係合爪を解除側へ弾性変形させる為の解除用操作部材であって可撓性と伸縮性のある材料で構成された解除用操作部材と、前記解除用操作部材に連結された摘み片とを有し、  前記解除用操作部材は、  前記雌バックルの１対の操作用凹部に部分的に露出した１対の係合爪の側部のうちの最大幅部よりも小幅の先端側部分に対応する位置において前記雌バックル及び１対の係合爪に外嵌状に装着されるリング部であって、１対の係合爪の前記先端側部分の表面に押圧力を付加しない限度内で引き締め状に接触するようにリングの周長が設定されたリング部を備え、  前記摘み片を前記雄バックル側へ手で引っ張ることにより、前記解除用操作部材のリング部で１対の係合爪の最大幅部を係合解除側へ押圧し、前記雌バックルから１対の係合爪を離脱可能に構成したことを特徴とするバックル解除用補助具。
【請求項３】
雌バックルと、この雌バックルに係脱可能に挿入される１対の係合爪を有する雄バックルと、前記雌バックルに係合状態の１対の係合爪が外部へ部分的に露出するように雌バックルに形成された１対の操作用凹部とを有するサイドリリースバックルに装着されるバックル解除用補助具であって、 前記雌バックルに係合状態の前記１対の係合爪を解除側へ弾性変形させる為の解除用操作部材であって紐状の面ファスナーでループ状に構成された解除用操作部材と、前記解除用操作部材に連結された摘み片とを有し、 前記解除用操作部材は、 前記雌バックルの１対の操作用凹部に部分的に露出した１対の係合爪の側部のうちの最大幅部よりも小幅の先端側部分に対応する位置において前記雌バックル及び１対の係合爪に外嵌状に装着されるループ状部分と、 前記ループ状部分が１対の係合爪の前記先端側部分の表面に、押圧力を付加しない限度内で引き締め状に接触するように前記ループ状部分のループ長を設定する設定手段とを備え、 前記摘み片を前記雄バックル側へ手で引っ張ることにより、前記解除用操作部材のループ状部分で１対の係合爪の最大幅部を係合解除側へ押圧し、前記雌バックルから１対の係合爪を離脱可能に構成したことを特徴とするバックル解除用補助具。
【請求項４】
前記解除用操作部材は結束バンドで構成されたことを特徴とする請求項１に記載のバックル解除用補助具。
【請求項５】
前記解除用操作部材は、そのループ状部分から一体的に延びる２本の連結紐により前記摘み片に連結され、前記連結紐のうちの前記ループ状部分側端部に、前記ループ状部分が緩まないようにロック可能なロック部材を前記設定手段として設けたことを特徴とする請求項１に記載のバックル解除用補助具。
【請求項６】
前記２本の連結紐の自由端部に面ファスナー小片を設け、前記摘み片を１対の面ファスナー片で構成し、前記面ファスナー小片を１対の面ファスナー片間に固着することにより、前記解除用操作部材を前記摘み片に連結したことを特徴とする請求項５に記載のバックル解除用補助具。
【請求項７】
前記解除用操作部材は、連結紐部材を介して前記摘み片に連結されたことを特徴とする請求項１〜６の何れか１つに記載のバックル解除用補助具。
【請求項８】
前記解除用操作部材のうち、前記雌バックルの背面に接触する部位に、雌バックルの背面に沿う形状に形成された硬質部を設けたことを特徴とする請求項１に記載のバックル解除用補助具。
【請求項９】
雌バックルと、この雌バックルに係脱可能に挿入される１対の係合爪を有する雄バックルと、前記雌バックルに係合状態の１対の係合爪が外部へ部分的に露出するように雌バックルに形成された１対の操作用凹部とを有するサイドリリースバックルに装着されるバックル解除用補助具であって、  前記雌バックルに係合状態の前記１対の係合爪を解除側へ弾性変形させる為の金属製又は合成樹脂製の解除用操作部材と、この解除用操作部材に連結された摘み片とを有し、  前記解除用操作部材は、１対の操作ロッド部と開口部を有するＤ形枠部材を備え、  前記開口部の幅が雌バックルの厚さよりも大きく設定され且つ１対の操作ロッド部の内面間間隔が１対の係合爪の最大幅よりも小さく設定され、  前記解除用操作部材は、前記雌バックルの１対の操作用凹部に対応する部位において前記開口部を介して前記雌バックル及び１対の係合爪に外嵌可能に構成され、  前記解除用操作部材を、雌バックルの１対の操作用凹部に部分的に露出した１対の係合爪の側部のうちの最大幅部よりも小幅の先端側部分の表面に前記１対の操作ロッド部が接触するように、前記雌バックル及び１対の係合爪に外嵌状に装着した状態において、前記摘み片を前記雄バックル側へ手で引っ張ることにより、前記解除用操作部材の１対の操作ロッド部で１対の係合爪の最大幅部を係合解除側へ押圧し、前記雌バックルから１対の係合爪を離脱可能に構成したことを特徴とするバックル解除用補助具。
【請求項１０】
雌バックルと、この雌バックルに係脱可能に挿入される１対の係合爪を有する雄バックルと、前記雌バックルに係合状態の１対の係合爪が外部へ部分的に露出するように雌バックルに形成された１対の操作用凹部とを有するサイドリリースバックルに装着されるバックル解除用補助具であって、  前記雌バックルに係合状態の前記１対の係合爪を解除側へ弾性変形させる為の金属製又は合成樹脂製の解除用操作部材と、この解除用操作部材に連結された摘み片とを有し、  前記解除用操作部材は、１対の操作ロッド部と、これら操作ロッド部の端部同士間の開口部を開閉可能な着脱ロッドとを有する矩形状の矩形枠部材を備え、  前記開口部の幅が雌バックルの厚さよりも大きく設定され且つ１対の操作ロッド部の内面間間隔が１対の係合爪の最大幅よりも小さく設定され、  前記解除用操作部材は、前記雌バックルの１対の操作用凹部に対応する部位において前記雌バックル及び１対の係合爪に外嵌可能に構成され、  前記解除用操作部材を、前記雌バックルの１対の操作用凹部に部分的に露出した１対の係合爪の側部のうちの最大幅部よりも小幅の先端側部分の表面に前記１対の操作ロッド部が接触するように、前記雌バックル及び１対の係合爪に外嵌状に装着した状態において、前記摘み片を前記雄バックル側へ手で引っ張ることにより、前記解除用操作部材の１対の操作ロッド部で１対の係合爪の最大幅部を係合解除側へ押圧し、前記雌バックルから１対の係合爪を離脱可能に構成したことを特徴とするバックル解除用補助具。
【請求項１１】
雌バックルと、この雌バックルに係脱可能に挿入される１対の係合爪を有する雄バックルと、前記雌バックルに係合状態の１対の係合爪が外部へ部分的に露出するように雌バックルに形成された１対の操作用凹部と、前記雌バックルに係合状態の１対の係合爪を係合解除させる為の解除用操作手段とを有するサイドリリースバックルであって、 前記解除用操作手段は、前記雌バックルに係合状態の前記１対の係合爪を解除側へ弾性変形させる為の解除用操作部材であって合成樹脂製の可撓性のある紐状部材でループ状に構成した解除用操作部材と、前記解除用操作部材に連結された摘み片とを有し、  前記解除用操作部材は、  前記１対の係合爪が挿入された前記雌バックルの挿入穴内において前記１対の係合爪の最大幅部よりも小幅の先端側部分と先端部分の表面に接触し且つ前記１対の操作用凹部に形成された１対の開口穴から外部へ雌バックルの表面側へ延びる状態に装着されるループ状部分を備え、  前記摘み片を前記雄バックル側へ手で引っ張ることにより、前記解除用操作部材で１対の係合爪の前記先端側部分を係合解除側へ押圧し、前記雌バックルから１対の係合爪を離脱可能に構成したことを特徴とするサイドリリースバックル。
【請求項１２】
請求項１〜１０の何れか１項に記載のバックル解除用補助具を設けたことを特徴とするサイドリリースバックル。
【国際調査報告】
2011052017.tif 000024
2011052017.tif 000025
2011052017.tif 000026
2011052017.tif 000027